(57)【特許請求の範囲】
【請求項１】
オペレーションサポートシステムOSS/ネットワーク管理システムNMSは、バーチャルネットワーク機能VNFのライフサイクル操作完成メッセージを受信するステップと、
受信されたVNFのライフサイクル操作完成メッセージに基づき、ネットワークエレメント管理システムEMSへVNFのライフサイクル操作に対応する管理情報対象インスタンス操作請求メッセージを送信するステップと、を含むコンフィグレーション情報の管理方法。
【請求項２】
前記請求メッセージに含まれたパラメータは、VNFインスタンスに対応する管理情報対象インスタンスマークDNを含む請求項1に記載のコンフィグレーション情報の管理方法。
【請求項３】
前記VNFのライフサイクル操作完成メッセージは、ネットワーク機能仮想化オーケストNFVOの送信したVNFインスタンス化完成の確認メッセージである際、対応的に、前記VNFのライフサイクル操作に対応する管理情報対象インスタンス操作請求メッセージは、VNFインスタンスに対応する管理情報対象インスタンスを作成する請求メッセージであり、
前記VNFのライフサイクル操作完成メッセージは、EMSの送信したVNFインスタンス化完成の通知メッセージである際、前記通知メッセージに含まれたパラメータはVNFインスタンスID及びVNFインスタンスのタイプを含み、対応的に、前記VNFのライフサイクル操作に対応する管理情報対象インスタンス操作請求メッセージはVNFインスタンスに対応する管理情報対象インスタンスを作成する請求メッセージであり、
前記VNFのライフサイクル操作完成メッセージは、NFVOの送信したVNFインスタンス終了完成の確認メッセージである際、対応的に、前記VNFのライフサイクル操作に対応する管理情報対象インスタンス操作請求メッセージはVNFインスタンスに対応する管理情報対象インスタンスを削除する請求メッセージであり、
前記VNFのライフサイクル操作完成メッセージは、NFVOの送信したVNFインスタンス変更完成の確認メッセージである際、対応的に、管理情報対象インスタンスを更新する必要があると確定した際に、前記VNFのライフサイクル操作に対応する管理情報対象インスタンス操作請求メッセージは、VNFインスタンスに対応する管理情報対象インスタンスを更新する請求メッセージであり、
前記VNFのライフサイクル操作完成メッセージは、EMSの送信したVNFインスタンス変更完成の通知メッセージであり、前記通知メッセージに含まれたパラメータはVNFインスタンスID及びVNFインスタンス変更操作タイプを含む際、対応的に、管理情報対象インスタンスを更新する必要があると確定した際に、前記VNFのライフサイクル操作に対応する管理情報対象インスタンス操作請求メッセージは、VNFインスタンスに対応する管理情報対象インスタンスを更新する請求メッセージである請求項1に記載のコンフィグレーション情報の管理方法。
【請求項４】
EMSはVNFのライフサイクル操作完成メッセージ又は管理情報対象インスタンス操作請求メッセージを受信するステップと、
受信されたメッセージに基づき管理情報対象インスタンスを操作し、且つ前記管理情報対象インスタンスとVNFインスタンスとのマッピング関係を操作するステップと、を含むコンフィグレーション情報の管理方法。
【請求項５】
前記管理情報対象インスタンスとVNFインスタンスとのマッピング関係の属性は、VNFインスタンスに対応する管理情報対象インスタンスDN及びVNFインスタンスIDを含む請求項4に記載のコンフィグレーション情報の管理方法。
【請求項６】
前記管理情報対象インスタンス操作請求メッセージは、OSS/NMSの送信したVNFインスタンスに対応する管理情報対象インスタンスを作成する請求メッセージであり、前記請求メッセージに含まれたパラメータは管理情報対象インスタンスDN及びVNFインスタンスIDを含む際、
対応的に、前記管理情報対象インスタンスを操作して、且つ前記管理情報対象インスタンスとVNFインスタンスとのマッピング関係を操作するのは、管理情報対象インスタンスを作成することと、前記管理情報対象インスタンスとVNFインスタンスとのマッピング関係を作成することと含み、
前記管理情報対象インスタンス操作請求メッセージは、OSS/NMSの送信した管理情報対象インスタンスを作成する請求メッセージであり、前記請求メッセージにVNFインスタンス化のトリガーを指示するパラメータを含む際、
対応的に、管理情報対象インスタンスを操作し、且つ前記管理情報対象インスタンスとVNFインスタンスとのマッピング関係を操作するのは、
前記請求メッセージに基づきVNFMへVNFインスタンス化請求メッセージを送信することと、
VNFMの送信したVNFインスタンス化完成の確認メッセージを受信することと、
前記管理情報対象インスタンスを作成して、且つ前記管理情報対象インスタンスと前記VNFインスタンスとのマッピング関係を作成することと、を含み、
前記管理情報対象インスタンス操作請求メッセージは、VNFMの送信したVNFインスタンス化完成の通知又は確認メッセージであり、
対応的に、管理情報対象インスタンスを操作し、且つ前記管理情報対象インスタンスとVNFインスタンスとのマッピング関係を操作するのは、
VNFインスタンスに対応する管理情報対象インスタンスを作成して、且つVNFインスタンスと前記管理情報対象インスタンスとのマッピング関係を作成することと、
OSS/NMSに管理情報対象インスタンスを作成する通知メッセージを送信することと、を含み、
前記管理情報対象インスタンス操作請求メッセージは、OSS/NMSの送信したVNFインスタンスに対応する管理情報対象インスタンスを削除する請求メッセージであり、前記請求メッセージに含まれたパラメータはVNFインスタンスに対応する管理情報対象インスタンスDNを含む際、
対応的に、管理情報対象インスタンスを操作し、且つ前記管理情報対象インスタンスと前記VNFインスタンスとのマッピング関係を操作するのは、
前記VNFインスタンスに対応する管理情報対象インスタンスを削除して、且つ前記管理情報対象インスタンスと前記VNFとのマッピング関係を削除することを含み、
前記管理情報対象インスタンス操作請求メッセージは、OSS/NMSの送信した管理情報対象インスタンスを削除する請求メッセージであり、前記請求メッセージにVNFインスタンス終了のトリガーを指示するパラメータを含む際、
対応的に、前記管理情報対象インスタンスを操作し、且つ前記管理情報対象インスタンスとVNFインスタンスとのマッピング関係を操作するのは、
前記請求メッセージに基づきVNFMにVNFインスタンス終了請求メッセージを送信することと、
VNFMの送信したVNFインスタンス終了確認メッセージを受信することと、
前記VNFインスタンスに対応する管理情報対象インスタンスを削除して、且つ前記VNFインスタンスと前記管理情報対象インスタンスとのマッピング関係を削除することと、を含み、
前記管理情報対象インスタンス操作請求メッセージは、OSS/NMSの送信したVNFインスタンスに対応する管理情報対象インスタンスを更新する請求メッセージであり、前記請求メッセージに含まれたパラメータはVNFインスタンスに対応する管理情報対象インスタンスDNを含む際、
対応的に、前記管理情報対象インスタンスを操作し、且つ前記管理情報対象インスタンスとVNFインスタンスとのマッピング関係を操作するのは、
前記請求メッセージに基づき管理情報対象インスタンスを更新して、且つ前記管理情報対象インスタンスとVNFインスタンスとのマッピング関係を更新することを含み、
前記管理情報対象インスタンス操作請求メッセージは、OSS/NMSの送信した管理情報対象インスタンスを更新する請求メッセージであり、前記請求メッセージにVNFインスタンス変更のトリガー及びVNFインスタンス変更操作タイプを指示するパラメータを含む際、
対応的に、管理情報対象インスタンスを操作し、且つ前記管理情報対象インスタンスとVNFインスタンスとのマッピング関係を操作するのは、
前記請求メッセージに基づきVNFMにVNFインスタンス変更請求メッセージを送信することと、
VNFMの送信したVNFインスタンス変更完成の確認メッセージを受信することと、
前記管理情報対象インスタンスを更新して、且つ前記管理情報対象インスタンスと前記VNFインスタンスとのマッピング関係を更新することと、を含み、
前記管理情報対象インスタンス操作請求メッセージは、VNFMの送信したVNFインスタンス変更完成の通知又は確認メッセージである際、
対応的に、管理情報対象インスタンスを操作し、且つ前記管理情報対象インスタンスとVNFインスタンスとのマッピング関係を操作するのは、
VNFインスタンスに対応する管理情報対象インスタンスをクエリーすることと、
管理情報対象インスタンスを更新する必要があると確定した際に、前記VNFインスタンスに対応する管理情報対象インスタンスを更新して、且つVNFインスタンスと前記管理情報対象インスタンスとのマッピング関係を更新することと、
OSS/NMSに管理情報対象インスタンス属性を更新する通知メッセージを送信することと、を含む請求項4に記載のコンフィグレーション情報の管理方法。
【請求項７】
前記VNFのライフサイクル操作完成メッセージは、バーチャルネットワーク機能マネージャVNFMの送信したVNFインスタンス化完成の通知又は確認メッセージである際、
対応的に、前記管理情報対象インスタンスを操作して、且つ前記管理情報対象インスタンスとVNFインスタンスとのマッピング関係を操作するのは、
OSS/NMSにVNFインスタンス化完成の通知メッセージを送信し、前記通知メッセージに含まれたパラメータはVNFインスタンスID及びVNFインスタンスのタイプを含むことと、
OSS/NMSの送信したVNFインスタンスに対応する管理情報対象インスタンスを作成する請求メッセージを受信することと、
前記請求メッセージに基づき前記管理情報対象インスタンスを作成して、且つ前記管理情報対象インスタンスと前記VNFインスタンスとのマッピング関係を作成することと、を含み、
前記VNFのライフサイクル操作完成メッセージは、VNFMの送信したVNFインスタンス終了完成の通知又は確認メッセージである際、
対応的に、前記管理情報対象インスタンスを操作し、且つ前記管理情報対象インスタンスとVNFインスタンスとのマッピング関係を操作するのは、
VNFインスタンスに対応する管理情報対象インスタンスをクエリーすることと、
前記管理情報対象インスタンスを削除して、且つ前記VNFインスタンスと前記管理情報対象インスタンスとのマッピング関係を削除することと、
OSS/NMSに管理情報対象インスタンスを削除する通知メッセージを送信することと、を含み、
前記VNFのライフサイクル操作完成メッセージは、VNFMの送信したVNFインスタンス変更完成の通知又は確認メッセージである際、
対応的に、前記管理情報対象インスタンスを操作し、且つ前記管理情報対象インスタンスとVNFインスタンスとのマッピング関係を操作するのは、
OSS/NMSへVNFインスタンス変更完成の通知メッセージを送信し、前記通知メッセージに含まれたパラメータはVNFインスタンスID及びVNFインスタンス変更操作タイプを含むことと、
OSS/NMSの送信したVNFインスタンスに対応する管理情報対象インスタンスを更新する請求メッセージを受信することと、
前記請求メッセージに基づきVNFインスタンスに対応する管理情報対象インスタンスを更新して、且つ前記管理情報対象インスタンスと前記VNFインスタンスとのマッピング関係を更新することと、を含む請求項4に記載のコンフィグレーション情報の管理方法。
【請求項８】
EMSはOSS/NMSの送信したクエリー請求メッセージを受信し、
前記クエリー請求メッセージは、管理情報対象インスタンスに対応するVNFインスタンスをクエリーするものであり、前記クエリー請求メッセージに含まれたパラメータは管理情報対象インスタンスDNを含み、又は、前記クエリー請求メッセージはVNFインスタンスに対応する管理情報対象インスタンスをクエリーするものであり、前記クエリー請求メッセージに含まれたパラメータはVNFインスタンスIDを含むステップ、及び
EMSは受信したクエリー請求メッセージに基づきクエリーするステップを含む請求項4に記載のコンフィグレーション情報の管理方法。
【請求項９】
第1受信モジュールと第1送信モジュールを備え、
前記第1受信モジュールは、VNFのライフサイクル操作完成メッセージを受信するように設定され、
前記第1送信モジュールは、第1受信モジュールの受信したVNFのライフサイクル操作完成メッセージに基づき、EMSへVNFのライフサイクル操作に対応する管理情報対象インスタンス操作請求メッセージを送信するように設定されるコンフィグレーション情報の管理ディバイス。
【請求項１０】
前記請求メッセージに含まれたパラメータはVNFインスタンスに対応する管理情報対象インスタンスDNを含む請求項9に記載のコンフィグレーション情報の管理ディバイス。
【請求項１１】
前記第1受信モジュールが受信したメッセージは、NFVOの送信したVNFインスタンス化完成の確認メッセージであり、
対応的に、前記第1送信モジュールは、VNFインスタンスに対応する管理情報対象インスタンスを作成する請求メッセージを送信する請求項9に記載のコンフィグレーション情報の管理ディバイス。
【請求項１２】
前記第1受信モジュールが受信したメッセージは、EMSの送信したVNFインスタンス化完成の通知メッセージであり、前記通知メッセージに含まれたパラメータはVNFインスタンスID及びVNFインスタンスのタイプを含み、
対応的に、前記第1送信モジュールはVNFインスタンスに対応する管理情報対象インスタンスを作成する請求メッセージを送信し、
又は、
前記第1受信モジュールが受信したメッセージは、NFVOの送信したVNFインスタンス終了完成の確認メッセージであり、
対応的に、前記第1送信モジュールはVNFインスタンスに対応する管理情報対象インスタンスを削除する請求メッセージを送信し、
又は、
前記第1受信モジュールが受信したメッセージは、NFVOの送信したVNFインスタンス変更完成の確認メッセージであり、
対応的に、前記第1送信モジュールは管理情報対象インスタンスを更新する必要があると確定した際に、VNFインスタンスに対応する管理情報対象インスタンスを更新する請求メッセージを送信し、
又は、
前記第1受信モジュールが受信したメッセージは、EMSの送信したVNFインスタンス変更完成の通知メッセージであり、
前記通知メッセージに含まれたパラメータは、VNFインスタンスID及びVNFインスタンス変更操作タイプを含み、
対応的に、前記第1送信モジュールは管理情報対象インスタンスを更新する必要があると確定した際に、VNFインスタンスに対応する管理情報対象インスタンスを更新する請求メッセージを送信する請求項9に記載のコンフィグレーション情報の管理ディバイス。
【請求項１３】
第2受信モジュールと処理モジュールを備え、
前記第2受信モジュールは、VNFのライフサイクル操作完成メッセージ又は管理情報対象インスタンス操作請求メッセージを受信するように設定され、
前記処理モジュールは、第2受信モジュールの受信したメッセージに基づき管理情報対象インスタンスを操作し、且つ前記管理情報対象インスタンスとVNFインスタンスとのマッピング関係を操作するように設定されるEMS。
【請求項１４】
前記管理情報対象インスタンスとVNFインスタンスとのマッピング関係の属性は、管理情報対象インスタンスDN及びVNFインスタンスIDを含む請求項13に記載のEMS。
【請求項１５】
前記第2受信モジュールが受信したメッセージは、OSS/NMSの送信したVNFインスタンスに対応する管理情報対象インスタンスを作成する請求メッセージであり、前記請求メッセージに含まれたパラメータは、VNFインスタンスに対応する管理情報対象インスタンスDN及びVNFインスタンスIDを含み、
対応的に、前記処理モジュールは、前記管理情報対象インスタンスを作成して、且つ前記管理情報対象インスタンスとVNFインスタンスとのマッピング関係を作成するように設定される作成ユニットを更に備え、
又は、
前記第2受信モジュールの受信したメッセージは、VNFMの送信したVNFインスタンス化完成の通知又は確認メッセージであり、
対応的に、前記処理モジュールは第1送信ユニットと第1受信ユニットを更に備え、
前記第1送信ユニットは、OSS/NMSにVNFインスタンス化完成の通知メッセージを送信し、前記通知メッセージに含まれたパラメータがVNFインスタンスID及びVNFインスタンスのタイプを含むように設定され、
前記第1受信ユニットは、OSS/NMSの送信したVNFインスタンスに対応する管理情報対象インスタンスを作成する請求メッセージを受信するように設定され、
前記作成ユニットは更に、前記請求メッセージに基づき前記管理情報対象インスタンスを作成し、且つ前記管理情報対象インスタンスと前記VNFインスタンスとのマッピング関係を作成するように設定され、
又は、
前記第2受信モジュールが受信したメッセージは、OSS/NMSの送信した管理情報対象インスタンスを作成する請求メッセージであり、前記請求メッセージにVNFインスタンス化のトリガーを指示するパラメータを含み、
対応的に、前記第1送信ユニットは更に、前記請求メッセージに基づきVNFMにVNFインスタンス化請求メッセージを送信するように設定され、
前記第1受信ユニットは更に、VNFMの送信したVNFインスタンス化完成の確認メッセージを受信するように設定され、
前記作成ユニットは更に、前記管理情報対象インスタンスを作成して、且つ前記管理情報対象インスタンスと前記VNFインスタンスとのマッピング関係を作成するように設定され、
又は、
前記第2受信モジュールが受信したメッセージは、VNFMの送信したVNFインスタンス化完成の通知又は確認メッセージであり、
対応的に、前記作成ユニットは更に、VNFインスタンスに対応する管理情報対象インスタンスを作成して、且つVNFインスタンスと前記管理情報対象インスタンスとのマッピング関係を作成するように設定され、
前記第1送信ユニットは更に、OSS/NMSに管理情報対象インスタンスを作成する通知メッセージを送信するように設定され、
又は、
前記第2受信モジュールが受信したメッセージは、OSS/NMSの送信したVNFインスタンスに対応する管理情報対象インスタンスを削除する請求メッセージであり、前記請求メッセージに含まれたパラメータはVNFインスタンスに対応する管理情報対象インスタンスDNを含み、
対応的に、前記処理モジュールは削除ユニットを更に備え、
前記削除ユニットは、前記VNFインスタンスに対応する管理情報対象インスタンスを削除して、且つ前記管理情報対象インスタンスと前記VNFとのマッピング関係を削除するように設定され、
又は、
前記第2受信モジュールが受信したメッセージは、VNFMの送信したVNFインスタンス終了の通知又は確認メッセージであり、
対応的に、前記処理モジュールはクエリーユニットを更に備え、VNFインスタンスに対応する管理情報対象インスタンスをクエリーするように設定され、
前記削除ユニットは更に、前記管理情報対象インスタンスを削除して、且つ前記VNFインスタンスと前記管理情報対象インスタンスとのマッピング関係を削除するように設定され、
前記第1送信ユニットは更に、OSS/NMSに管理情報対象インスタンス削除の通知メッセージを送信するように設定され、
又は、
前記第2受信モジュールが受信したメッセージは、OSS/NMSの送信した管理情報対象インスタンスを削除する請求メッセージであり、前記請求メッセージにVNFインスタンス終了のトリガーを指示するパラメータを含み、
対応的に、前記第1送信ユニットは更に、前記請求メッセージに基づきVNFMにVNFインスタンス終了請求メッセージを送信するように設定され、
前記第1受信ユニットは更に、VNFMの送信したVNFインスタンス終了確認メッセージを受信するように設定され、
前記削除ユニットは更に、前記VNFインスタンスに対応する管理情報対象インスタンスを削除して、且つ前記VNFインスタンスと前記管理情報対象インスタンスとのマッピング関係を削除するように設定され、
又は、
前記第2受信モジュールが受信したメッセージは、OSS/NMSの送信したVNFインスタンスに対応する管理情報対象インスタンスを更新する請求メッセージであり、前記請求メッセージに含まれたパラメータはVNFに対応する管理情報対象インスタンスDNを含み、
対応的に、前記処理モジュールは更に、前記請求メッセージに基づき管理情報対象インスタンスを更新して、且つ前記管理情報対象インスタンスと前記VNFインスタンスとのマッピング関係を更新するように設定される更新ユニットを備え、
又は、
前記第2受信モジュールが受信したメッセージは、VNFMの送信したVNFインスタンス変更完成の通知又は確認メッセージであり、
対応的に、前記第1送信ユニットは更に、OSS/NMSへVNFインスタンス変更完成の通知メッセージを送信するように設定され、前記通知メッセージに含まれたパラメータは、VNFインスタンスID及びVNFインスタンス変更操作タイプを含み、
前記第1受信ユニットは更に、OSS/NMSの送信したVNFインスタンスに対応する管理情報対象インスタンスを更新する請求メッセージを受信するように設定され、
前記更新ユニットは更に、前記請求メッセージに基づきVNFインスタンスに対応する管理情報対象インスタンスを更新して、且つ前記管理情報対象インスタンスと前記VNFインスタンスとのマッピング関係を更新するように設定され、
又は、
前記第2受信モジュールが受信したメッセージは、OSS/NMSの送信した管理情報対象インスタンスを更新する請求メッセージであり、前記請求メッセージにVNFインスタンス変更のトリガー及びVNFインスタンス変更操作タイプを指示するパラメータを含み、
対応的に、前記第1送信ユニットは更に、前記請求メッセージに基づきVNFMにVNFインスタンス変更請求メッセージを送信し、前記請求メッセージが管理情報対象インスタンスDNを含むように設定され、
前記第1受信ユニットは更に、VNFMの送信したVNFインスタンス変更完成の確認メッセージを受信するように設定され、
前記更新ユニットは更に、前記管理情報対象インスタンスを更新して、且つ前記管理情報対象インスタンスとVNFインスタンスとのマッピング関係を更新するように設定され、
又は、
前記第2受信モジュールが受信したメッセージは、VNFMの送信したVNFインスタンス変更完成の通知又は確認メッセージであり、
対応的に、前記クエリーユニットは更に、VNFインスタンスに対応する管理情報対象インスタンスをクエリーするように設定され、
前記更新ユニットは更に、管理情報対象インスタンスを更新する必要があると確定した際に、前記VNFインスタンスに対応する管理情報対象インスタンスを更新して、且つVNFインスタンスと前記管理情報対象インスタンスとのマッピング関係を更新するように設定され、
前記第1送信ユニットは更に、OSS/NMSに管理情報対象インスタンス属性を更新する通知メッセージを送信するように設定される請求項13に記載のEMS。
【請求項１６】
第3受信モジュールとクエリーモジュールを更に備え、
前記第3受信モジュールは、OSS/NMSの送信したクエリー請求メッセージを受信するように設定され、
前記クエリー請求メッセージは、管理情報対象インスタンスに対応するVNFインスタンスをクエリーするものであり、前記クエリー請求メッセージに含まれたパラメータは、管理情報対象インスタンスDNを含み、又は、前記クエリー請求メッセージはVNFインスタンスに対応する管理情報対象インスタンスをクエリーするものであり、前記クエリー請求メッセージに含まれたパラメータはVNFインスタンスIDを含み、
対応的に、前記クエリーモジュールは、クエリー請求メッセージに基づきクエリーするように設定される請求項13に記載のEMS。
【請求項１７】
コンピュータの実行可能な指令が記憶され、該コンピュータの実行可能な指令は、請求項1〜3のいずれか一項に記載のコンフィグレーション情報の管理方法を実行することに用いられ、及び/又は、
該コンピュータの実行可能な指令は、請求項4〜8のいずれか一項に記載のコンフィグレーション情報の管理方法を実行することに用いられるコンピュータ記憶媒体。
【発明の詳細な説明】
【技術分野】
【０００１】
本発明は移動通信ネットワーク管理技術に関し、特にコンフィグレーション情報の管理方法、デバイス、ネットワークエレメント管理システム(Element Management System、EMS)及び記憶媒体に関する。
【背景技術】
【０００２】
従来技術において、ネットワーク機能はいずれもベンダー固有の、又は特別に設計されたネットワークデバイスによって実現され、ネットワーク機能とネットワークデバイスとは超強カップリングの関係であり、これは実際の応用において数多くの不便がある。ネットワークデバイスの性能を向上させる際に、ネットワーク機能の特定又はカスタマイズ需要を満たすと同時に、ネットワークデバイスキャリアクラスの信頼性ハードウェアの性能を向上させ、又はオペレータは新しいサービスを配置する際に、新しく設計した、専用機能を有するネットワークデバイスを予め配置し、これは明らかにオペレータのサービス配置コストを向上させる一方で、中央処理装置(Central Processing Unit、CPU)及びメモリ性能の高速向上に伴って、ユニバーサルサーバーにはソフトウェア形式でネットワーク機能を実行するために基礎条件を提供し、ネットワーク機能仮想化(Network Function Virtualization、NFV)技術も出てきて、NFVの主な機能はユニバーサルサーバーにネットワーク機能を実行し、広い範囲のサービス配置を実現し、資本的支出(Capital Expenditure、CAPEX)を低下させることができ、同時に、ネットワーク機能を必要に応じて配置し更新することを実現し、遠隔管理及び維持が容易であり、運営コスト(Operating Expense、OPEX)を低下させる。
【０００３】
NFV技術を取り入れた後に、ネットワークデバイスのネットワーク機能はバーチャルネットワーク機能(Virtualized Network Function、VNF)に実現され、VNFのアプリケーション層と見られ、各VNFは具体的なコンフィグレーション情報に基づき異なるネットワーク機能を実現する。NFVを取り入れた後に、従来のネットワークの管理アーキテクチャも大きく変化し、ネットワーク機能仮想化管理及び オーケストレーション(NFV Management and Orchestration、NFV-MANO)のアーキテクチャ及び参照点模式図は、図1に示すように、ネットワーク機能仮想化オーケストレータ(Network Functions Virtualization Orchestrator、NFVO)はネットワークサービスのライフサイクル管理、仮想化インフラストラクチャマネージャ(Virtualised Infrastructure Manager、VIM)を跨ぐネットワーク機能仮想化インフラストラクチャ(Network Functions Virtualization Infrastructure、NFVI)リソースのスケジューリング等の機能を担当し、バーチャルネットワーク機能マネージャ(VNF Manager、VNFM)はVNFのライフサイクル管理を担当し、各VNFインスタンスは仮にいずれも1つの関連するVNFMを有し、仮想化インフラストラクチャマネージャ(Virtualised Infrastructure Manager、VIM)はNFVIの計算、記憶及びネットワークリソースを制御し管理する。ETSI GS NFV-MANO 001によって、VNFインスタンスのアプリケーション層コンフィグレーションはVNFパッケージ(VNF package)に含まれることができ、VNFMはVNF packageからコンフィグレーション情報を取得してVNFに送信でき、従来の方式によってEMSからVNF伝達することもできる。従来の方式によって実現する需要は、ネットワークデバイスが次第に仮想化する過程において、仮想化ネットワークデバイスと実際のネットワークデバイスの混合ネットワーキングを発生する状況からのものであり、この時、従来のネットワーク管理アーキテクチャによって仮想化ネットワ
ークデバイスのアプリケーション層コンフィグレーション情報を管理して、統一的な運用および保守に便利である。
【０００４】
従来のネットワーク管理構造は一般的にネットワーク管理システム(Network Management System、NMS)/オペレーションサポートシステム(Operations support system、OSS)、EMS及びネットワークデバイスの三層の管理構造を含み、NMSとEMSの間のインターフェイスはノースインターフェイスであり、EMSとネットワークデバイスとの間のインターフェイスはサウスインターフェイスである。ネットワーク管理システムはノースインターフェイスには各種のネットワークデバイスを1つの管理情報オブジェクトクラスにモデリングし、各ネットワークデバイスはいずれも1つの所属オブジェクトクラスの情報対象インスタンスを有し、マーク(Distinguish Name、DN)で示し、情報対象インスタンスに所属ネットワークデバイスのコンフィグレーション情報を含み、管理システムは情報対象インスタンスの作成、削除及び更新操作によってネットワークデバイスコンフィグレーション情報の管理を完成し、ネットワークデバイスは管理エンティティとして動的に変化しない。
【０００５】
ネットワークデバイスが仮想化した後に、ネットワーク機能はVNFに実現され、ネットワーク機能のコンフィグレーション情報もVNFのライフサイクル内のみで有効である。VNFのライフサイクル管理はVNFインスタンス化(Instantiate VNF)、VNFインスタンス終了(Terminate VNF)、VNFインスタンス調整(Scale VNF)及びVNFインスタンス更新等を含む。従来のネットワーク管理システムを採用してVNFによるネットワーク機能を設定して管理し、ネットワーク機能の設定管理とVNFのライフサイクル管理を関連付け、従来のネットワーク管理システムの設定管理機能はVNFによるネットワーク機能の設定管理需要を満たすことができない。
【発明の概要】
【発明が解決しようとする課題】
【０００６】
これらを鑑みて、本発明の実施例は、従来のネットワーク管理システムがVNFインスタンスのアプリケーション層コンフィグレーション情報をタイムリー且つ効果的に管理することができるコンフィグレーション情報の管理方法、デバイス、EMS及び記憶媒体を提供することを期待とする。
【課題を解決するための手段】
【０００７】
本発明の実施例の技術的手段は以下のとおり実現する。
【０００８】
本発明の実施例は、OSS/NMSがVNFのライフサイクル操作完成メッセージを受信するステップと、受信したVNFのライフサイクル操作完成メッセージに基づきネットワークエレメント管理システムEMSへVNFのライフサイクル操作に対応する管理情報対象インスタンス操作請求メッセージを送信するステップと、を含むコンフィグレーション情報の管理方法を提供する。
本発明の実施例は更に、EMSはVNFのライフサイクル操作完成メッセージ又は管理情報対象インスタンス操作請求メッセージを受信するステップと、受信したメッセージに基づき管理情報対象インスタンスを操作し、且つ前記管理情報対象インスタンスとVNFインスタンスとのマッピング関係を操作するステップと、を含む他のコンフィグレーション情報の管理方法を提供する。
【０００９】
本発明の実施例は更にコンフィグレーション情報の管理デバイスを提供し、前記デバイスは、第1受信モジュール及び第1送信モジュールを備え、
前記第1受信モジュールは、VNFのライフサイクル操作完成メッセージを受信するように設定され、
前記第1送信モジュールは、第1受信モジュールが受信したVNFのライフサイクル操作完成メッセージに基づきEMSへVNFのライフサイクル操作に対応する管理情報対象インスタンス操作請求メッセージを送信するように設定される。
【００１０】
本発明の実施例は更にEMSを提供し、前記EMSは、第2受信モジュール及び処理モジュールを備え、
前記第2受信モジュールは、VNFのライフサイクル操作完成メッセージ又は管理情報対象インスタンス操作請求メッセージを受信するように設定され、
前記処理モジュールは、第2受信モジュールが受信したメッセージに基づき管理情報対象インスタンスを操作し、且つ前記管理情報対象インスタンスと前記VNFインスタンスとのマッピング関係を操作するように設定される。
【００１１】
本発明の実施例は更にコンピュータ記憶媒体を提供し、前記コンピュータ記憶媒体にはコンピュータプログラムが記憶され、該コンピュータプログラムは本発明の実施例の上記コンフィグレーション情報の管理方法を実行するためのものである。
【発明の効果】
【００１２】
本発明の実施例によるコンフィグレーション情報の管理方法、デバイス、EMS及び記憶媒体によれば、OSS/NMSはVNFのライフサイクル操作完成メッセージを受信し、受信したVNFのライフサイクル操作完成メッセージに基づきEMSへ前記VNFのライフサイクル操作に対応する管理情報対象インスタンス操作請求メッセージを送信し、EMSはVNFのライフサイクル操作完成メッセージ又は管理情報対象インスタンス操作請求メッセージを受信し、受信したメッセージに基づき管理情報対象インスタンスを操作し、且つ前記管理情報対象インスタンスとVNFインスタンスとのマッピング関係を操作する。このように、仮想化ネットワークデバイスと実際のネットワークデバイスを混合してネットワーキングする場合、各VNFインスタンスはいずれも対応する管理情報対象インスタンスを有し、これにより従来のネットワーク管理システムはVNFインスタンスのアプリケーション層コンフィグレーション情報をタイムリー且つ効果的に管理する。
【図面の簡単な説明】
【００１３】
【図１】図1はNFV-MANOのアーキテクチャ及び参照点の模式図である。
【図２】図2は本発明の実施例のOSS/NMS側コンフィグレーション情報の管理方法の基本的な処理プロセス模式図である。
【図３】図3は本発明の実施例1のコンフィグレーション情報の管理方法の詳しい処理プロセス模式図である。
【図４】図4は本発明の実施例２のコンフィグレーション情報の管理方法の詳しい処理プロセス模式図である。
【図５】図5は本発明の実施例3のコンフィグレーション情報の管理方法の詳しい処理プロセス模式図である。
【図６】図6は本発明の実施例4のコンフィグレーション情報の管理方法の詳しい処理プロセス模式図である。
【図７】図7は本発明の実施例5のコンフィグレーション情報の管理方法の詳しい処理プロセス模式図である。
【図８】図8は本発明の実施例のEMS側コンフィグレーション情報の管理方法の基本的な処理プロセス模式図である。
【図９】図9は本発明の実施例のEMS側コンフィグレーション情報の管理方法の他の基本的な処理プロセス模式図である。
【図１０】図10は本発明の実施例6のコンフィグレーション情報の管理方法の詳しい処理プロセス模式図である。
【図１１】図11は本発明の実施例7のコンフィグレーション情報の管理方法の詳しい処理プロセス模式図である。
【図１２】図12は本発明の実施例8のコンフィグレーション情報の管理方法の詳しい処理プロセス模式図である。
【図１３】図13は本発明の実施例9のコンフィグレーション情報の管理方法の詳しい処理プロセス模式図である。
【図１４】図14は本発明の実施例10のコンフィグレーション情報の管理方法の詳しい処理プロセス模式図である。
【図１５】図15は本発明の実施例11のコンフィグレーション情報の管理方法の詳しい処理プロセス模式図である。
【図１６】図16は本発明の実施例12のコンフィグレーション情報の管理方法の詳しい処理プロセス模式図である。
【図１７】図17は本発明の実施例13のコンフィグレーション情報の管理方法の詳しい処理プロセス模式図である。
【図１８】図18は本発明の実施例14のコンフィグレーション情報の管理方法の詳しい処理プロセス模式図である。
【図１９】図19は本発明の実施例15のコンフィグレーション情報の管理方法の詳しい処理プロセス模式図である。
【図２０】図20は本発明の実施例16のコンフィグレーション情報の管理方法の詳しい処理プロセス模式図である。
【図２１】図21は本発明の実施例17のコンフィグレーション情報の管理方法の詳しい処理プロセス模式図である。
【図２２】図22は本発明の実施例18のコンフィグレーション情報の管理方法の詳しい処理プロセス模式図である。
【図２３】図23は本発明の実施例19のコンフィグレーション情報の管理方法の詳しい処理プロセス模式図である。
【図２４】図24は本発明の実施例20のコンフィグレーション情報の管理方法の詳しい処理プロセス模式図である。
【図２５】図25は本発明の実施例21のコンフィグレーション情報の管理方法の詳しい処理プロセス模式図である。
【図２６】図26は本発明の実施例22のコンフィグレーション情報の管理方法の詳しい処理プロセス模式図である。
【図２７】図27は本発明の実施例23のコンフィグレーション情報の管理方法の詳しい処理プロセス模式図である。
【図２８】図28は本発明の実施例24のコンフィグレーション情報の管理方法の詳しい処理プロセス模式図である。
【図２９】図29は本発明の実施例25のコンフィグレーション情報の管理方法の詳しい処理プロセス模式図である。
【図３０】図30は本発明の実施例26のコンフィグレーション情報の管理方法の詳しい処理プロセス模式図である。
【図３１】図31は本発明の実施例27のコンフィグレーション情報の管理方法の詳しい処理プロセス模式図である。
【図３２】図32は本発明の実施例28のコンフィグレーション情報の管理方法の詳しい処理プロセス模式図である。
【図３３】図33は本発明の実施例29のコンフィグレーション情報の管理方法の詳しい処理プロセス模式図である。
【図３４】図34は本発明の実施例のコンフィグレーション情報の管理デバイスの組成構造模式図である。
【図３５】図35は本発明の実施例のEMSの組成構造模式図である。
【図３６】図36は本発明の実施例の処理モジュールの組成構造模式図である。
【発明を実施するための形態】
【００１４】
本発明の実施例において、OSS/NMSはVNFのライフサイクル操作完成メッセージを受信し、受信したVNFのライフサイクル操作完成メッセージに基づきネットワークエレメント管理システムEMSへ前記VNFのライフサイクル操作に対応する管理情報対象インスタンス操作請求メッセージを送信し、EMSはVNFのライフサイクル操作完成メッセージ又は管理情報対象インスタンス操作請求メッセージを受信し、受信したメッセージに基づき管理情報対象インスタンスを操作し、且つ前記管理情報対象インスタンスとVNFインスタンスとのマッピング関係を操作する。
【００１５】
本発明の実施例におけるコンフィグレーション情報に対する管理とは作成、削除、更新、クエリー等の操作及びその対応する処理過程である。
【００１６】
本発明の実施例のOSS/NMS側コンフィグレーション情報の管理方法の基本的な処理プロセスは、図2に示すように、以下のステップを含む。
【００１７】
ステップ101、OSS/NMSはVNFのライフサイクル操作完成メッセージを受信する。
前記VNFのライフサイクル操作完成メッセージは、NFVOの送信したVNFインスタンス化完成の確認メッセージ、
又は、EMSの送信した、VNFインスタンスID及びVNFインスタンスのタイプを含むVNFインスタンス化完成の通知メッセージ、
又は、NFVOの送信したVNFインスタンス終了完成の確認メッセージ、
又は、NFVOの送信したVNFインスタンス変更完成の確認メッセージ、
又は、EMSの送信した、VNFインスタンスID及びVNFインスタンス変更操作タイプを含むVNFインスタンス変更完成の通知メッセージを含む。
【００１８】
ステップ102、受信したVNFのライフサイクル操作完成メッセージに基づき、EMSへ前記VNFのライフサイクル操作に対応する管理情報対象インスタンス操作請求メッセージを送信する。
【００１９】
前記請求メッセージに含まれたパラメータは、VNFインスタンスに対応する管理情報対象インスタンスマークDNを含む。
【００２０】
具体的に、前記VNFのライフサイクル操作完成メッセージがNFVOの送信したVNFインスタンス化完成の確認メッセージである場合、受信したVNFのライフサイクル操作完成メッセージに基づきEMSへ前記VNFのライフサイクル操作に対応する管理情報対象インスタンス操作請求メッセージを送信することは、
OSS/NMSはEMSへVNFインスタンスに対応する管理情報対象インスタンスを作成する請求メッセージを送信することを含み、
前記請求メッセージに含まれたパラメータは、VNFインスタンスに対応する管理情報対象インスタンスマークDN及びVNFインスタンス身元マークIDを含む。
【００２１】
前記VNFのライフサイクル操作完成メッセージがEMSの送信したVNFインスタンス化完成の通知メッセージである場合、受信したVNFのライフサイクル操作完成メッセージに基づきEMSへ前記VNFのライフサイクル操作に対応する管理情報対象インスタンス操作請求メッセージを送信することは、
OSS/NMSはEMSへVNFインスタンスに対応する管理情報対象インスタンスを作成する請求メッセージを送信することを含み、
前記請求メッセージは、VNFインスタンスに対応する管理情報対象インスタンスDN及びVNFインスタンスIDを含む。
【００２２】
前記VNFのライフサイクル操作完成メッセージがNFVOの送信したVNFインスタンス終了完成の確認メッセージである場合、受信したVNFのライフサイクル操作完成メッセージに基づきEMSへ前記VNFのライフサイクル操作に対応する管理情報対象インスタンス操作請求メッセージを送信することは、
OSS/NMSはEMSへVNFインスタンスに対応する管理情報対象インスタンスを削除する請求メッセージを送信することを含み、
前記請求メッセージに含まれたパラメータは、VNFインスタンスに対応する管理情報対象インスタンスDNを含む。
【００２３】
前記VNFのライフサイクル操作完成メッセージがNFVOの送信したVNFインスタンス変更完成の確認メッセージである場合、受信したVNFのライフサイクル操作完成メッセージに基づきEMSへ前記VNFのライフサイクル操作に対応する管理情報対象インスタンス操作請求メッセージを送信することは、
OSS/NMSはEMSへVNFインスタンスに対応する管理情報対象インスタンスを更新する請求メッセージを送信することを含み、
前記請求メッセージに含まれたパラメータは、VNFインスタンスに対応する管理情報対象インスタンスDNを含む。
【００２４】
前記VNFのライフサイクル操作完成メッセージがEMSの送信したVNFインスタンス変更完成の通知メッセージである場合、受信したVNFのライフサイクル操作完成メッセージに基づきEMSへ前記VNFのライフサイクル操作に対応する管理情報対象インスタンス操作請求メッセージを送信することは、
OSS/NMSはEMSへVNFインスタンスに対応する管理情報対象インスタンスを更新する請求メッセージを送信することを含み、
前記請求メッセージに含まれたパラメータは、VNFインスタンスに対応する管理情報対象インスタンスDNを含む。
【００２５】
実施例1
本発明の実施例1のコンフィグレーション情報の管理方法の詳しい処理プロセスは、図3に示すように、以下のステップを含む。
【００２６】
ステップ1a、OSS/NMSはNFVOの送信したVNFインスタンス化完成の確認メッセージを受信する。
【００２７】
ステップ1b、OSS/NMSはEMSへVNFインスタンスに対応する管理情報対象インスタンスを作成する請求メッセージを送信する。
【００２８】
前記請求メッセージに含まれたパラメータは、VNFインスタンスに対応する管理情報対象インスタンスDN、管理情報対象類名称、VNFインスタンスID、VNFインスタンスIPアドレス、VNFインスタンスのタイプ及びVNFMのIPアドレスを含む。
【００２９】
実施例２
本発明の実施例２のコンフィグレーション情報の管理方法の詳しい処理プロセスは、図4に示すように、以下のステップを含む。
【００３０】
ステップ2a、OSS/NMSはEMSの送信したVNFインスタンス化完成の通知メッセージを受信する。
【００３１】
前記通知メッセージに含まれたパラメータはVNFインスタンスID及びVNFインスタンスのタイプを含む。
【００３２】
ステップ2b、OSS/NMSはEMSへVNFインスタンスに対応する管理情報対象インスタンスを作成する請求メッセージを送信する。
【００３３】
前記請求メッセージはVNインスタンスに対応する管理情報対象インスタンスDN、管理情報対象類名称及びVNFインスタンスIDを含む。
【００３４】
実施例3
本発明の実施例3のコンフィグレーション情報の管理方法の詳しい処理プロセスは、図5に示すように、以下のステップを含む。
【００３５】
ステップ3a、OSS/NMSはNFVOの送信したVNFインスタンス終了完成の確認メッセージを受信する。
【００３６】
ステップ3b、OSS/NMSはEMSへVNFインスタンスに対応する管理情報対象インスタンスを削除する請求メッセージを送信する。
【００３７】
前記請求メッセージに含まれたパラメータは、VNFインスタンスに対応する管理情報対象インスタンスDNを含む。
【００３８】
実施例4
本発明の実施例4のコンフィグレーション情報の管理方法の詳しい処理プロセスは、図6に示すように、以下のステップを含む。
【００３９】
ステップ4a、OSS/NMSはNFVOの送信したVNFインスタンス変更完成の確認メッセージを受信する。
【００４０】
ステップ4b、OSS/NMSは管理情報対象インスタンスを更新する必要があると確定した際に、EMSへVNFインスタンスに対応する管理情報対象インスタンスを更新する請求メッセージを送信し、
前記請求メッセージに含まれたパラメータはVNFインスタンスに対応する管理情報対象インスタンスDNを含み、管理情報対象インスタンスを更新する必要があるか否かを確定する要因はVNFインスタンス変更の操作タイプ、変更操作がVNFインスタンス化に関するか否か、新しいVNFインスタンスID及びVNFDバージョン等の情報を有するか否かを含む。
実施例5
【００４１】
本発明の実施例5のコンフィグレーション情報の管理方法の詳しい処理プロセスは、図7に示すように、以下のステップを含む。
【００４２】
ステップ5a、OSS/NMSはEMSの送信したVNFインスタンス変更完成の通知メッセージを受信し、
前記通知メッセージはVNFインスタンスID及びVNFインスタンス変更タイプを含む。
【００４３】
ステップ5b、OSS/NMSは管理情報対象インスタンスを更新する必要があると確定した際に、EMSへVNFインスタンスに対応する管理情報対象インスタンスを更新する請求メッセージを送信し、
前記請求メッセージはVNFインスタンスに対応する管理情報対象インスタンスDNを含み、管理情報対象インスタンスを更新する必要があるか否かを確定する要因はVNFインスタンス変更の操作タイプ、変更操作がVNFインスタンス化に関するか否か、新しいVNFインスタンスID及びVNFDバージョン等の情報を有するか否かを含む。
【００４４】
本発明の実施例のEMS側コンフィグレーション情報の管理方法の1種の基本的な処理プロセスは、図8に示すように、以下のステップを含む。
【００４５】
ステップ201、EMSはVNFのライフサイクル操作完成メッセージ又は管理情報対象インスタンス操作請求メッセージを受信し、
前記VNFのライフサイクル操作完成メッセージはVNFMの送信したVNFインスタンス化完成の通知又は確認メッセージ、又は、VNFMの送信したVNFインスタンス終了完成の通知又は確認メッセージ、又は、VNFMの送信したVNFインスタンス変更完成の通知又は確認メッセージを含む。
【００４６】
前記管理情報対象インスタンス操作請求メッセージは、
OSS/NMSの送信したVNFインスタンスに対応する管理情報対象インスタンスを作成する請求メッセージを含み、前記請求メッセージに含まれたパラメータは管理情報対象インスタンスDN、管理情報対象類名称、VNFインスタンスID、VNFインスタンスのIPアドレス、VNFインスタンスのタイプ及びVNFMのIPアドレスを含み、
又は、OSS/NMSの送信した管理情報対象インスタンスを作成する請求メッセージを含み、前記請求メッセージに含まれたパラメータは管理情報対象インスタンスDN、管理情報対象類名称、バーチャルネットワーク機能記述子(VNFDescriptor、VNFD)ID、VNFM  IPアドレス及びVNFインスタンス化トリガーを指示するパラメータを含み、
又は、OSS/NMSの送信したVNFインスタンスに対応する管理情報対象インスタンスを削除する請求メッセージを含み、前記請求メッセージはVNFインスタンスに対応する管理情報対象インスタンスDNを含み、
又は、OSS/NMSの送信した管理情報対象インスタンスを削除する請求メッセージを含み、前記請求メッセージに含まれたパラメータはVNFインスタンス終了トリガーを指示するパラメータを含み、
又は、OSS/NMSの送信したVNFインスタンスに対応する管理情報対象インスタンスを更新する請求メッセージを含み、前記請求メッセージに含まれたパラメータはVNFインスタンスに対応する管理情報対象インスタンスDNを含み、
又は、OSS/NMSの送信した管理情報対象インスタンスを更新する請求メッセージを含み、前記請求メッセージに含まれたパラメータはVNFインスタンス変更トリガーを指示するパラメータ及びVNFインスタンス変更操作タイプのパラメータを含む。
【００４７】
ステップ202、受信したメッセージに基づき管理情報対象インスタンスを操作し、且つ前記管理情報対象インスタンスとVNFインスタンスとのマッピング関係を操作し、
具体的に、a.EMSがOSS/NMSの送信したVNFインスタンスに対応する管理情報対象インスタンスを作成する請求メッセージを受信する際に、EMSは前記管理情報対象インスタンスを操作し、且つ前記管理情報対象インスタンスとVNFインスタンスとのマッピング関係を操作するのは、
EMSは前記管理情報対象インスタンスを作成して、且つ前記管理情報対象インスタンスと前記VNFインスタンスとのマッピング関係を作成することを含む。
【００４８】
b.EMSがVNFMの送信したVNFインスタンス化完成の通知又は確認メッセージを受信する際に、EMSは前記管理情報対象インスタンスを操作し、且つ前記管理情報対象インスタンスと前記VNFインスタンスとのマッピング関係を操作するのは、
EMSはOSS/NMSにVNFインスタンス化完成の通知メッセージを送信し、前記通知メッセージに含まれたパラメータはVNFインスタンスID及びVNFインスタンスのタイプを含むこと、
【００４９】
EMSはOSS/NMSの送信したVNFインスタンスに対応する管理情報対象インスタンスを作成する請求メッセージを受信し、前記請求メッセージに含まれたパラメータは管理情報対象インスタンスDN、管理情報対象類名称及びVNFインスタンスIDを含むこと、
EMSは前記請求メッセージに基づき前記管理情報対象インスタンスを作成して、且つ前記管理情報対象インスタンスと前記VNFインスタンスとのマッピング関係を作成すること、を含む。
【００５０】
c.EMSがOSS/NMSの送信した管理情報対象インスタンスを作成する請求メッセージを受信する際に、EMSは前記管理情報対象インスタンスを操作し、且つ前記管理情報対象インスタンスと前記VNFインスタンスとのマッピング関係を操作するのは、
EMSは前記請求メッセージに基づきVNFMにVNFインスタンス化請求メッセージを送信すること、
EMSは VNFMの送信したVNFインスタンス化完成の確認メッセージを受信すること、及び
EMSは前記管理情報対象インスタンスを作成して、且つ前記管理情報対象インスタンスと前記VNFインスタンスとのマッピング関係を作成することを含む。
【００５１】
d.EMSがOSS/NMSの送信したVNFインスタンスに対応する管理情報対象インスタンスを削除する請求メッセージを受信する際に、EMSは前記管理情報対象インスタンスを操作し、且つ前記管理情報対象インスタンスと前記VNFインスタンスとのマッピング関係を操作するのは、
EMSは前記請求メッセージに基づきVNFインスタンスに対応する管理情報対象インスタンスを削除して、且つ前記管理情報対象インスタンスと前記VNFとのマッピング関係を削除することを含む。
【００５２】
e.EMSがVNFMの送信したVNFインスタンス終了完成の通知又は確認メッセージを受信する際に、EMSは前記管理情報対象インスタンスを操作し、且つ前記管理情報対象インスタンスと前記VNFインスタンスとのマッピング関係を操作するのは、
EMSはVNFインスタンスに対応する管理情報対象インスタンスをクエリーすること、
EMSは前記管理情報対象インスタンスを削除して、且つ前記VNFインスタンスと前記管理情報対象インスタンスとのマッピング関係を削除すること、及び
EMSはOSS/NMSに管理情報対象インスタンスを削除する通知メッセージを送信することを含む。
【００５３】
f.EMSがOSS/NMSの送信した管理情報対象インスタンスを削除する請求メッセージを受信する際に、EMSは前記管理情報対象インスタンスを操作し、且つ前記管理情報対象インスタンスと前記VNFインスタンスとのマッピング関係を操作するのは、
EMSは前記請求メッセージに基づきVNFMにVNFインスタンス終了請求メッセージを送信すること、  EMSはVNFMの送信したVNFインスタンス終了確認メッセージを受信すること、及び
EMSは前記VNFインスタンスに対応する管理情報対象インスタンスを削除して、且つ前記VNFインスタンスと前記管理情報対象インスタンスとのマッピング関係を削除することを含む。
【００５４】
g.EMSがOSS/NMSの送信したVNFインスタンスに対応する管理情報対象インスタンスを更新する請求メッセージを受信する際に、EMSは前記管理情報対象インスタンスを操作し、且つ前記管理情報対象インスタンスと前記VNFインスタンスとのマッピング関係を操作するのは、
EMSは前記請求メッセージに基づき管理情報対象インスタンスを更新して、且つ前記管理情報対象インスタンスと前記VNFインスタンスとのマッピング関係を更新することを含む。
【００５５】
h.EMSがVNFMの送信したVNFインスタンス変更完成の通知又は確認メッセージを受信する際に、EMSは前記管理情報対象インスタンスを操作し、且つ前記管理情報対象インスタンスと前記VNFインスタンスとのマッピング関係を操作するのは、
EMSはOSS/NMSにVNFインスタンス変更完成の通知メッセージを送信し、前記通知メッセージは、VNFインスタンスのID及びVNFインスタンス変更操作タイプを含むこと、
EMSはOSS/NMSの送信したVNFインスタンスに対応する管理情報対象インスタンスを更新する請求メッセージを受信すること、及び
EMSは前記請求メッセージに基づきVNFインスタンスに対応する管理情報対象インスタンスを更新して、且つ前記管理情報対象インスタンスと前記VNFインスタンスとのマッピング関係を更新することを含む。
【００５６】
i.EMSがOSS/NMSの送信した管理情報対象インスタンスを更新する請求メッセージを受信する際に、EMSは前記管理情報対象インスタンスを操作し、且つ前記管理情報対象インスタンスと前記VNFインスタンスとのマッピング関係を操作するのは、
EMSは前記請求メッセージに基づきVNFMにVNFインスタンス変更請求メッセージを送信すること、
EMSはVNFMの送信したVNFインスタンス変更完成の確認メッセージを受信すること、及び
EMSは前記管理情報対象インスタンスを更新して、且つ前記管理情報対象インスタンスとVNFインスタンスとのマッピング関係を更新することを含む。
【００５７】
j.EMSEMSがVNFMの送信したVNFインスタンス化完成の通知又は確認メッセージを受信する際に、EMSは前記管理情報対象インスタンスを操作し、且つ前記管理情報対象インスタンスと前記VNFインスタンスとのマッピング関係を操作するのは、
EMSはVNFインスタンスに対応する管理情報対象インスタンスを作成して、且つVNFインスタンスと前記管理情報対象インスタンスとのマッピング関係を作成すること、及び
EMSはOSS/NMSに管理情報対象インスタンスを作成する通知メッセージを送信することを含む。
【００５８】
k.EMSがVNFMの送信したVNFインスタンス変更完成の通知又は確認メッセージを受信する際に、EMSは前記管理情報対象インスタンスを操作し、且つ前記管理情報対象インスタンスと前記VNFインスタンスとのマッピング関係を操作するのは、
EMSはVNFインスタンスに対応する管理情報対象インスタンスをクエリーすること、
EMSは管理情報対象インスタンスを更新する必要があると確定した際に、前記VNFインスタンスに対応する管理情報対象インスタンスを更新して、且つVNFインスタンスと前記管理情報対象インスタンスとのマッピング関係を更新すること、及び
EMSはOSS/NMSに管理情報対象インスタンス属性を更新する通知メッセージを送信することを含む。
【００５９】
前記管理情報対象インスタンスとVNFインスタンスとのマッピング関係の属性は管理情報対象インスタンスDN及びVNFインスタンスIDを含み、前記管理情報対象インスタンスとVNFインスタンスとのマッピング関係の属性はVNFインスタンスのIPアドレス、VNFインスタンス所属VNFMのIPアドレス、及びVNFインスタンスタイプの中の1つ又は複数をさらに含む。
【００６０】
本発明の実施例のEMS側のコンフィグレーション情報の管理方法の他の基本的な処理プロセスは、図9に示すように、以下のステップを含む。
【００６１】
ステップ301、EMSはOSS/NMSの送信したクエリー請求メッセージを受信し、
前記クエリー請求メッセージは管理情報対象インスタンスに対応するVNFインスタンスをクエリーするものであり、前記クエリー請求メッセージに含まれたパラメータは管理情報対象インスタンスDNを含み、
又は前記クエリー請求メッセージはVNFインスタンスに対応する管理情報対象インスタンスをクエリーするものであり、前記クエリー請求メッセージに含まれたパラメータはVNFインスタンスIDを含む。
【００６２】
ステップ302、EMSは受信したクエリー請求メッセージに基づきクエリーして、且つクエリー結果をOSS/NMSに送信し、
前記クエリー結果は、管理情報対象インスタンスDN及びVNFインスタンスIDを含み、
クエリー請求メッセージが管理情報対象インスタンスに対応するVNFインスタンスをクエリーするものであり、且つクエリー請求メッセージが管理情報対象インスタンスDNを含まない際に、EMSは全てのVNFインスタンスID及び対応する管理情報対象インスタンスDNをOSS/NMSに送信し、
クエリー請求メッセージがVNFインスタンスに対応する管理情報対象インスタンスをクエリーするものであり、且つクエリー請求メッセージがVNFインスタンスIDを含まない際に、EMSは全ての管理情報対象インスタンスDN及び対応するVNFインスタンスIDをOSS/NMSに送信する。
【００６３】
なお、本実施例において、ステップ201〜ステップ202とステップ301〜ステップ302とは互いに独立した操作過程である。
【００６４】
実施例6
本発明の実施例6のコンフィグレーション情報の管理方法の詳しい処理プロセスは、図10に示すように、以下のステップを含む。
【００６５】
ステップ6a、EMSはOSS/NMSの送信したVNFインスタンスに対応する管理情報対象インスタンスを作成する請求メッセージを受信し、
前記請求メッセージは管理情報対象インスタンスDN、管理情報対象類名称、VNFインスタンスID、VNFインスタンスのIPアドレス、VNFインスタンスのタイプ及びVNFMのIPアドレスを含む。
【００６６】
ステップ6b、EMSは受信した請求メッセージに基づき前記管理情報対象インスタンスを作成して、且つ前記管理情報対象インスタンスと前記VNFインスタンスとのマッピング関係を作成する。
【００６７】
ステップ6c、EMSはOSS/NMSに管理情報対象インスタンスの作成完成の確認メッセージを送信する。
【００６８】
実施例7
本発明の実施例7のコンフィグレーション情報の管理方法の詳しい処理プロセスは、図11に示すように、以下のステップを含む。
【００６９】
ステップ7a、EMSはVNFMの送信したVNFインスタンス化完成の確認又は通知メッセージを受信する。
【００７０】
ステップ7b、EMSはOSS/NMSにVNFインスタンス化完成の通知メッセージを送信し、
前記通知メッセージはVNFインスタンスID及びVNFインスタンスのタイプを含む。
【００７１】
ステップ7c、EMSはOSS/NMSの送信したVNFインスタンスに対応する管理情報対象インスタンスを作成する請求メッセージを受信し、
前記請求メッセージは、管理情報対象インスタンスDN、管理情報対象類名称及びVNFインスタンスIDを含む。
【００７２】
ステップ7d、EMSは前記請求メッセージに基づき前記管理情報対象インスタンスを作成して、且つ前記管理情報対象インスタンスと前記VNFインスタンスとのマッピング関係を作成する。
【００７３】
ステップ7e、EMSはOSS/NMSに管理情報対象インスタンスの作成完成の確認メッセージを送信する。
【００７４】
実施例8
本発明の実施例8のコンフィグレーション情報の管理方法の詳しい処理プロセスは、図12に示すように、以下のステップを含む。
【００７５】
ステップ8a、EMSはOSS/NMSの送信した管理情報対象インスタンスを作成する請求メッセージを受信し、
前記請求メッセージは、管理情報対象インスタンスDN、管理情報対象類名称、VNFD  ID、VNFM  IPアドレス及びVNFインスタンス化トリガーを指示するパラメータを含む。
【００７６】
ステップ8b、MSは前記請求メッセージに基づきVNFMにVNFインスタンス化請求メッセージを送信する。
【００７７】
ステップ8c、EMSは VNFMの送信したインスタンス化完成の確認メッセージを受信する。
【００７８】
ステップ8d、EMSは前記管理情報対象インスタンスを作成して、且つ前記管理情報対象インスタンスと前記VNFインスタンスとのマッピング関係を作成する。
【００７９】
ステップ8e、EMSはOSS/NMSに管理情報対象インスタンスの作成完成の確認メッセージを送信する。
【００８０】
実施例9
本発明の実施例9のコンフィグレーション情報の管理方法の詳しい処理プロセスは、図13に示すように、以下のステップを含む。
【００８１】
ステップ9a、EMSはOSS/NMSの送信したVNFインスタンスに対応する管理情報対象インスタンスを削除する請求メッセージを受信し、
前記請求メッセージはVNFインスタンスに対応する管理情報対象インスタンスDNを含む。
【００８２】
ステップ9b、EMSは前記請求メッセージに基づきVNFインスタンスに対応する管理情報対象インスタンスを削除して、且つ前記管理情報対象インスタンスと前記VNFとのマッピング関係を削除する。
【００８３】
ステップ9c、EMSはOSS/NMSに管理情報対象インスタンスを削除する確認メッセージを送信する。
【００８４】
実施例10
本発明の実施例10のコンフィグレーション情報の管理方法の詳しい処理プロセスは、図14に示すように、以下のステップを含む。
【００８５】
ステップ10a、EMSはVNFMの送信したVNFインスタンス終了完成の通知又は確認メッセージを受信し、
前記メッセージはVNFインスタンスIDを含む。
【００８６】
ステップ10b、EMSはVNFインスタンスの管理情報対象インスタンスをクエリーし、
具体的に、EMSは受信したメッセージの中のVNFインスタンスIDに基づきVNFインスタンスの管理情報対象インスタンスをクエリーする。
【００８７】
ステップ10c、EMSは前記管理情報対象インスタンスを削除して、且つ前記VNFインスタンスと前記管理情報対象インスタンスとのマッピング関係を削除する。
【００８８】
ステップ10d、EMSはOSS/NMSに管理情報対象インスタンスを削除する通知メッセージを送信する。
【００８９】
実施例11
本発明の実施例11のコンフィグレーション情報の管理方法の詳しい処理プロセスは、図15に示すように、以下のステップを含む。
【００９０】
ステップ11a、EMSはOSS/NMSの送信した管理情報対象インスタンスを削除する請求メッセージを受信し、
前記請求メッセージに含まれたパラメータは、管理情報対象インスタンスDN、VNFインスタンスID、及びVNFインスタンス終了トリガーを指示するパラメータを含む。
【００９１】
ステップ11b、EMSは前記請求メッセージに基づきVNFMにVNFインスタンス終了請求メッセージを送信し、
具体的に、EMSは管理情報対象インスタンスDNに基づき前記VNFインスタンスに対応するVNFM  IPアドレスをクエリーして、且つVNFM  IPアドレスに基づきVNFMにVNFインスタンス終了請求メッセージを送信し、
前記請求メッセージはVNFインスタンスIDを含む。
ステップ11c、EMSはVNFMの送信したVNFインスタンス終了確認メッセージを受信する。
【００９２】
ステップ11d、EMSは前記VNFインスタンスに対応する管理情報対象インスタンスを削除して、且つ前記VNFインスタンスと前記管理情報対象インスタンスとのマッピング関係を削除する。
【００９３】
ステップ11e、EMSはOSS/NMSにアプリケーション管理情報対象インスタンスを削除する確認メッセージを送信する。
【００９４】
実施例12
本発明の実施例12のコンフィグレーション情報の管理方法の詳しい処理プロセスは、図16に示すように、以下のステップを含む。
【００９５】
ステップ12a、EMSはOSS/NMSの送信したVNFインスタンスに対応する管理情報対象インスタンスを更新する請求メッセージを受信し、
前記請求メッセージに含まれたパラメータはVNFインスタンスに対応する管理情報対象インスタンスDNを含む。
【００９６】
ステップ12b、EMSは前記請求メッセージに基づき管理情報対象インスタンスを更新して、且つ前記管理情報対象インスタンスと前記VNFインスタンスとのマッピング関係を更新する。
【００９７】
ステップ12c、EMSはOSS/NMSにVNFインスタンスに対応する管理情報対象インスタンス更新の確認メッセージを送信する。
【００９８】
実施例13
本発明の実施例13のコンフィグレーション情報の管理方法の詳しい処理プロセスは、図17に示すように、以下のステップを含む。
【００９９】
ステップ13a、EMSはVNFMの送信したVNFインスタンス変更完成の通知又は確認メッセージを受信し、
前記VNFインスタンス変更はVNFインスタンス化とVNFインスタンス終了を除いたVNFライフサイクル内のその他の操作、例えばVNFをスケールする（Scale VNF）、VNFをアップグレードする(Upgrade VNF)、VNFを修正する(Modify VNF)等の操作を含み、VNFをスケールすることは更にスケールイン(Scale in)、スケールアウト(Scale out)、スケールアップ(Scale up)及びスケールダウン(Scale down)に細分されてもよい。
【０１００】
ステップ13b、EMSはOSS/NMSにVNFインスタンス変更完成の通知メッセージを送信し、
前記通知メッセージに含まれたパラメータは、VNFインスタンスのID及びVNFインスタンス変更操作タイプを含む。
【０１０１】
ステップ13c、EMSはOSS/NMSの送信したVNFインスタンスに対応する管理情報対象インスタンスを更新する請求メッセージを受信する。
【０１０２】
ステップ13d、EMSは前記請求メッセージに基づきVNFインスタンスに対応する管理情報対象インスタンスを更新して、且つ前記管理情報対象インスタンスと前記VNFインスタンスとのマッピング関係を更新する。
【０１０３】
ステップ13e、EMSはOSS/NMSにVNFインスタンスに対応する管理情報対象インスタンス更新の確認メッセージを送信する。
【０１０４】
実施例14
本発明の実施例14のコンフィグレーション情報の管理方法の詳しい処理プロセスは、図18に示すように、以下のステップを含む。
【０１０５】
ステップ14a、EMSはOSS/NMSの送信した管理情報対象インスタンスを更新する請求メッセージを受信し、
前記請求メッセージに含まれたパラメータは、管理情報対象インスタンスDN、VNFインスタンスID及びVNFインスタンス変更操作タイプを含む。
【０１０６】
ステップ14b、EMSは前記請求メッセージに基づきVNFMにVNFインスタンス変更請求メッセージを送信し、
具体的に、EMSは管理情報対象インスタンスDNに基づき前記VNFインスタンスに対応するVNFMのIPアドレスをクエリーして、且つVNFM  IPアドレスに基づきVNFMにVNFインスタンス終了請求メッセージを送信し、
前記請求メッセージに含まれたパラメータは管理情報対象インスタンスDNを含む。
ステップ14c、EMSはVNFMの送信したVNFインスタンス変更完成の確認メッセージを受信する。
【０１０７】
ステップ14d、EMSは前記管理情報対象インスタンスを更新して、且つ前記管理情報対象インスタンスとVNFインスタンスとのマッピング関係を更新する。
【０１０８】
ステップ14e、EMSはOSS/NMSにVNFインスタンスに対応する管理情報対象インスタンス更新の確認メッセージを送信する。
【０１０９】
実施例15
本発明の実施例15のコンフィグレーション情報の管理方法の詳しい処理プロセスは、図19に示すように、以下のステップを含む。
【０１１０】
ステップ15a、EMSはVNFMの送信したVNFインスタンス化完成の通知又は確認メッセージを受信し、
前記メッセージに含まれたパラメータは、VNFインスタンスID、VNFインスタンスのタイプ及びVNFのIPアドレスを含む。
【０１１１】
ステップ15b、EMSはVNFインスタンスに対応する管理情報対象インスタンスを作成して、且つVNFインスタンスと前記管理情報対象インスタンスとのマッピング関係を作成する。
【０１１２】
ステップ15c、EMSはOSS/NMSに管理情報対象インスタンスを作成する通知メッセージを送信する。
【０１１３】
実施例16
本発明の実施例16のコンフィグレーション情報の管理方法の詳しい処理プロセスは、図20に示すように、以下のステップを含む。
【０１１４】
ステップ16a、EMSはVNFMの送信したVNFインスタンス変更完成の通知又は確認メッセージを受信し、
前記メッセージに含まれたパラメータは、VNFインスタンスID及びVNFインスタンス変更操作タイプを含む。
【０１１５】
ステップ16b、EMSはVNFインスタンスに対応する管理情報対象インスタンスをクエリーする。
【０１１６】
ステップ16c、EMSは管理情報対象インスタンスを更新する必要があると確定した際に、前記VNFインスタンスに対応する管理情報対象インスタンスを更新して、且つVNFインスタンスと前記管理情報対象インスタンスとのマッピング関係を更新する。
【０１１７】
ステップ16d、EMSはOSS/NMSに管理情報対象インスタンス属性を更新する通知メッセージを送信する。
【０１１８】
実施例17
ネットワークエレメント機能を仮想化した後に、ネットワーク管理システムのクエリー機能は管理情報対象インスタンスDNに基づきネットワークの中でどのネットワークエレメントが仮想化後のネットワークエレメントであるかをクエリーすることができ、本発明の実施例17のコンフィグレーション情報の管理方法の詳しい処理プロセスは、図21に示すように、以下のステップを含む。
【０１１９】
ステップ17a、EMSはOSS/NMSの送信したクエリー請求メッセージを受信し、
前記クエリー請求メッセージは管理情報対象インスタンスに対応するVNFインスタンスをクエリーするものであり、前記クエリー請求メッセージに含まれたパラメータは管理情報対象インスタンスDNを含む。
【０１２０】
ステップ17b、EMSは管理情報対象インスタンスに対応するVNFインスタンスをクエリーする。
【０１２１】
ステップ17c、EMSはクエリー結果をOSS/NMSに送信し、
前記クエリー結果は管理情報対象インスタンスDN及びVNFインスタンスIDを含み、
具体的に、クエリー請求メッセージに管理情報対象インスタンスDNを含まない際に、EMSは全てのVNFインスタンスID及び対応する管理情報対象インスタンスDNをOSS/NMSに送信する。
【０１２２】
実施例18
ネットワークエレメントを仮想化した後に、ネットワーク管理システムのクエリー機能はVNFインスタンスIDに基づきVNFインスタンスに対応するアプリケーション層コンフィグレーション情報をクエリーすることができ、本発明の実施例18のコンフィグレーション情報の管理方法の詳しい処理プロセスは、図22に示すように、以下のステップを含む。
【０１２３】
ステップ18a、EMSはOSS/NMSの送信したクエリー請求メッセージを受信し、
前記クエリー請求メッセージはVNFインスタンスに対応する管理情報対象インスタンスをクエリーするものであり、前記クエリー請求メッセージに含まれたパラメータはVNFインスタンスIDを含む。
【０１２４】
ステップ18b、EMSはVNFインスタンスに対応する管理情報対象インスタンスをクエリーする。
【０１２５】
ステップ18c、EMSはクエリー結果をOSS/NMSに送信し、
前記クエリー結果は、管理情報対象インスタンスDN及びVNFインスタンスIDを含み、
具体的に、クエリー請求メッセージはVNFインスタンスに対応する管理情報対象インスタンスをクエリーするものであり、且つクエリー請求メッセージにVNFインスタンスIDを含まない際に、EMSは全ての管理情報対象インスタンスDN及び対応するVNFインスタンスIDをOSS/NMSに送信する。
【０１２６】
実施例19
ネットワークエレメント機能を仮想化した後に、VNFライフサイクル開始に用いられるVNFインスタンス化操作は管理情報対象インスタンスの作成と関連付ける必要があり、各VNFインスタンスにいずれもそれに対応する管理情報対象インスタンスが存在し、管理情報対象インスタンスにVNFのアプリケーション層コンフィグレーション情報が含まれることを確保する。VNFインスタンス化操作が完成した後に、VNFMはVNFアプリケーション層の初期コンフィグレーションプロセスをトリガーして、本発明の実施例19のコンフィグレーション情報の管理方法の詳しい処理プロセスは、図23に示すように、以下のステップを含む。
【０１２７】
ステップ19a、EMSはVNFMの送信したVNFインスタンス化完成の通知又は確認メッセージを受信し、
前記メッセージに含まれたパラメータは、VNFインスタンスID、VNFインスタンスのタイプ、VNFインスタンスIPアドレスを含む。
【０１２８】
ステップ19b、EMSはOSS/NMSにVNFインスタンス化完成の通知メッセージを送信し、
前記通知メッセージに含まれたパラメータはVNFインスタンスID及びVNFインスタンスのタイプを含む。
【０１２９】
ステップ19c、OSS/NMSは前記通知メッセージを受信した後に、EMSへVNFインスタンスに対応する管理情報対象インスタンスを作成する請求メッセージを送信し、
前記請求メッセージに含まれたパラメータは管理情報対象インスタンスDN、管理情報対象類名称及びVNFインスタンスIDを含む。
【０１３０】
ステップ19d、EMSはOSS/NMSの送信したVNFインスタンスに対応する管理情報対象インスタンスを作成する請求メッセージを受信し、且つ前記請求メッセージに基づき前記管理情報対象インスタンスを作成して、且つ前記管理情報対象インスタンスと前記VNFインスタンスとのマッピング関係を作成する。
【０１３１】
ステップ19e、EMSはOSS/NMSに管理情報対象インスタンスの作成完成の確認メッセージを送信する。
【０１３２】
ステップ19f、EMSはVNFインスタンスにおける管理アクセス用のIPアドレスに基づきVNFインスタンスとリンクを確立し、且つアプリケーション層コンフィグレーション情報をVNFインスタンスに送信する。
【０１３３】
実施例20
VNFインスタンス化操作が完成した後に、OSS/NMSはVNFインスタンス化の完成を知り、アプリケーション層初期コンフィグレーションプロセスをトリガーし、本発明の実施例20のコンフィグレーション情報の管理方法の詳しい処理プロセスは、図24に示すように、以下のステップを含む。
【０１３４】
ステップ20a、OSS/NMSはNFVOの送信したVNFインスタンス化完成の確認メッセージを受信する。
【０１３５】
ステップ20b、OSS/NMSはEMSへVNFインスタンスに対応する管理情報対象インスタンスを作成する請求メッセージを送信し、
前記請求メッセージに含まれたパラメータは、管理情報対象インスタンスDN、管理情報対象類名称、VNFインスタンスID、VNFインスタンスのIPアドレス、及びVNF所属のVNFMのIPアドレスを含む。
【０１３６】
ステップ20c、EMSは前記請求メッセージを受信した後に、前記請求メッセージに基づき管理情報対象インスタンスを作成して、管理情報対象インスタンスとVNFインスタンスのマッピング関係を作成する。
【０１３７】
ステップ20d、EMSはOSS/NMSに管理情報対象インスタンスの作成完成の確認メッセージを送信する。
【０１３８】
ステップ20e、EMSはVNFインスタンスにおける管理アクセス用のIPアドレスに基づきVNFインスタンスとリンクを確立し、且つアプリケーション層コンフィグレーション情報をVNFインスタンスに送信する。
【０１３９】
実施例21
OSS/NMSはアプリケーション層初期コンフィグレーションプロセスをトリガーして、VNFインスタンス化をトリガーし、本発明の実施例21のコンフィグレーション情報の管理方法の詳しい処理プロセスは、図25に示すように、以下のステップを含む。
【０１４０】
ステップ21a、OSS/NMSはEMSへ情報対象インスタンスの請求メッセージを送信し、
前記請求メッセージに含まれたパラメータは、管理情報対象インスタンスDN、VNFD  ID及びVNFM  IPアドレスを含み、前記請求メッセージはVNFD  IDパラメータによってEMSがVNFMにVNFインスタンス化の請求メッセージを送信する必要があるのを隠し指示し、又は前記請求メッセージに含まれたパラメータの上でパラメータVNFインスタンス化標識を新しく増加することによってVNFインスタンス化のトリガーを指示する。
【０１４１】
ステップ21b、EMSは前記請求メッセージを受信して、メッセージにおけるVNFMのIPアドレスに基づきVNFMにVNFインスタンス化請求メッセージを送信し、
前記メッセージに含まれたパラメータは、VNFD  ID及びVNFインスタンスに対応する管理情報対象インスタンスDN等を含む。
【０１４２】
ステップ21c、VNFMはVNFインスタンス化請求メッセージを受信して、VNFインスタンス化を完成し、EMSへVNFインスタンス化完成の確認メッセージを送信し、
前記確認メッセージに含まれたパラメータは、VNFインスタンスID、VNFインスタンスのIPアドレス、VNFインスタンスのタイプ及びVNFインスタンスに対応する管理情報対象インスタンスDN等を含む。
【０１４３】
ステップ21d、EMSはVNFインスタンス化完成の確認メッセージを受信して、情報対象インスタンスを作成し、情報対象インスタンスとVNFインスタンスとのマッピング関係を作成する。
【０１４４】
ステップ21e、EMSはOSS/NMSに管理情報対象インスタンスの作成完成の確認メッセージを送信する。
【０１４５】
ステップ21f、EMSはVNFインスタンスにおける管理アクセス用のIPアドレスに基づきVNFインスタンスとリンクを確立し、且つアプリケーション層コンフィグレーション情報をVNFインスタンスに送信する。
【０１４６】
実施例22
ネットワークエレメント機能を仮想化した後に、VNFライフサイクル終了に用いられるVNFインスタンス終了の操作は管理情報対象インスタンスの削除を関連付ける必要があり、VNFインスタンスが終了した後に、タイムリーにVNFインスタンスに対応する管理情報対象インスタンスを削除することを確保し、ネットワーク管理システムの情報と実際のネットワークにおける情報を一致させて保持する。VNFインスタンス終了操作が完成した後に、VNFMはアプリケーション層コンフィグレーション情報を削除するプロセスをトリガーし、本発明の実施例22のコンフィグレーション情報の管理方法の処理プロセスは、図26に示すように、以下のステップを含む。
【０１４７】
ステップ22a、EMSはVNFMの送信したVNFインスタンス終了の通知又は確認メッセージを送信し、
前記メッセージに含まれたパラメータはVNFインスタンスIDを含む。
【０１４８】
ステップ22b、EMSは前記メッセージにおけるVNFインスタンスIDに基づきVNFインスタンスに対応する管理情報対象インスタンスをクエリーする。
【０１４９】
ステップ22c、EMSはクエリーした管理情報対象インスタンスを削除して、且つ前記VNFインスタンスと前記管理情報対象インスタンスとのマッピング関係を削除する。
【０１５０】
ステップ22d、EMSはOSS/NMSに管理情報対象インスタンスを削除する通知メッセージを送信する。
【０１５１】
実施例23
VNFインスタンス終了操作が完成した後に、OSS/NMSはVNFインスタンス終了を知り、アプリケーション層コンフィグレーション情報を削除するプロセスをトリガーし、本発明の実施例23のコンフィグレーション情報の管理方法の処理プロセスは、図27に示すように、以下のステップを含む。
【０１５２】
ステップ23a、OSS/NMSはNFVOの送信したVNFインスタンス化終了の通知又は確認メッセージを受信する。
【０１５３】
ステップ23b、OSS/NMSはVNFインスタンスに対応する管理情報対象インスタンスDNを取得して、且つEMSへVNFインスタンスに対応する管理情報対象インスタンスを削除する請求メッセージを送信し、
前記請求メッセージに含まれたパラメータはVNFインスタンスに対応する管理情報対象インスタンスDNを含む。
【０１５４】
ステップ23c、EMSはVNFインスタンスに対応する管理情報対象インスタンスを削除して、且つ前記管理情報対象インスタンスと前記VNFとのマッピング関係を削除する。
【０１５５】
ステップ23d、EMSはOSS/NMSに管理情報対象インスタンスを削除する確認メッセージを送信する。
【０１５６】
実施例24
OSS/NMSはアプリケーション層コンフィグレーション情報を削除するプロセスをトリガーし、VNFインスタンス終了をトリガーし、本発明の実施例24のコンフィグレーション情報の管理方法の処理プロセスは、図28に示すように、以下のステップを含む。
【０１５７】
ステップ24a、OSS/NMSはEMSへ管理情報対象インスタンスを削除する請求メッセージを送信し、  前記請求メッセージに含まれたパラメータは、管理情報対象インスタンスDN及びVNFインスタンス終了標識を含み、前記請求メッセージにおいてVNFインスタンス終了標識によってEMSがVNFMにVNFインスタンス終了請求メッセージを送信することを指示する。
【０１５８】
ステップ24b、EMSは前記請求メッセージを受信して、前記請求メッセージに基づきVNFMにVNFインスタンス終了請求メッセージを送信し、
具体的に、EMSは管理情報対象インスタンスDNに基づき前記VNFインスタンスに対応するVNFM  IPアドレスをクエリーして、且つVNFM  IPアドレスに基づきVNFMにVNFインスタンス終了請求メッセージを送信し、
前記請求メッセージに含まれたパラメータはVNFインスタンスIDを含む。
【０１５９】
ステップ24c、VNFMは前記請求メッセージを受信した後に、VNFインスタンスを終了し、EMSへVNFインスタンス終了の確認メッセージを送信する。
【０１６０】
ステップ24d、EMSはVNFインスタンス終了の確認メッセージを受信して、管理情報対象インスタンスを削除し、且つ前記VNFインスタンスと前記管理情報対象インスタンスとのマッピング関係を削除する。
【０１６１】
ステップ24e、EMSはOSS/NMSへアプリケーション管理情報対象インスタンスを削除する確認メッセージを送信する。
【０１６２】
実施例25
ネットワーク機能を仮想化した後に、VNFライフサイクル内にVNFインスタンス化とVNFインスタンス終了以外、VNFをスケールする、VNFをアップグレードする、VNFを修正する等の操作を更に含み、VNFをスケールすることは更にスケールイン、スケールアウト、スケールアップ及びスケールダウンに細分されることもでき、これらの操作はVNFインスタンスの異なる変更を発生し、それによりVNFインスタンスアプリケーション層のコンフィグレーション情報を更新する必要を引き起こし、これらの操作は本発明においてVNFインスタンス変更操作と総称されるため、VNFインスタンス変更操作と情報対象インスタンス更新を関連付ける必要があり、VNFインスタンスアプリケーション層コンフィグレーション情報の正確性と更新のタイムリー性を確保する。VNFインスタンス変更操作が完成した後に、VNFMはアプリケーション層コンフィグレーション情報の更新をトリガーし、本発明の実施例25のコンフィグレーション情報の管理方法の処理プロセスは、図29に示すように、以下のステップを含む。
【０１６３】
ステップ25a、EMSはVNFMの送信したVNFインスタンス変更完成の通知又は確認メッセージを受信し、
前記メッセージに含まれたパラメータは、VNFインスタンスID、VNFインスタンス変更操作タイプ、VNFインスタンス変更のパラメータ等を含み、
前記VNFインスタンス変更操作タイプはスケールアウト、スケールイン、スケールアップ、スケールダウン、アップデート、アップグレード及び修正を含む。
【０１６４】
ステップ25b、EMSはOSS/NMSにVNFインスタンス変更完成の通知メッセージを送信し、
前記通知メッセージに含まれたパラメータは、VNFインスタンスのID及びVNFインスタンス変更操作タイプを含む。
【０１６５】
ステップ25c、OSS/NMSはVNFアプリケーション層コンフィグレーション情報を更新する必要があるのを確定した際に、EMSへVNFインスタンスに対応する管理情報対象インスタンスを更新する請求メッセージを送信し、
前記請求メッセージに含まれたパラメータは、管理情報対象インスタンスDN、VNFインスタンスID等を含み、
ここで、管理情報対象インスタンスを更新する必要があるか否かを確定する要因は、VNFインスタンス変更の操作タイプ、変更操作がVNFインスタンス化に関するか否か、新しいVNFインスタンスID及びVNFDバージョン等の情報を有するか否かを含む。
【０１６６】
ステップ25d、EMSは前記請求メッセージを受信して、前記請求メッセージに基づきVNFインスタンスに対応する管理情報対象インスタンスを更新して、且つ前記管理情報対象インスタンスと前記VNFインスタンスとのマッピング関係を更新する。
【０１６７】
ステップ25e、EMSはOSS/NMSへアプリケーション管理情報対象インスタンスを更新する確認メッセージを送信する。
【０１６８】
ステップ25f、EMSはVNFインスタンスにおける管理アクセス用のIPアドレスに基づきVNFインスタンスとリンクを確立し、新しいアプリケーション層コンフィグレーション情報をVNFインスタンスに送信する。
【０１６９】
実施例26
VNFインスタンス変更操作が完成した後に、OSS/NMSはVNFインスタンスの変更を知り、アプリケーション層コンフィグレーション情報を更新するプロセスをトリガーして、本発明の実施例26のコンフィグレーション情報の管理方法の処理プロセスは、図30に示すように、以下のステップを含む。
【０１７０】
ステップ26a、OSS/NMSはVFNOの送信したVNFインスタンス変更完成の確認メッセージを受信し、
前記メッセージに含まれたパラメータはVNFインスタンスID及びVNFインスタンス変更操作タイプ等を含み、
前記請求メッセージはVNFインスタンス変更操作タイプパラメータによって変更請求メッセージのタイプを確定して、前記VNFインスタンス変更操作タイプは、スケールアウト、スケールイン、スケールアップ、スケールダウン、アップデート、アップグレード及び修正を含む。
【０１７１】
ステップ26b、OSS/NMSは管理情報対象インスタンスを更新する必要があるか否かを確定し、
管理情報対象インスタンスを更新する必要があるか否かを確定する要因はVNFインスタンス変更の操作タイプ、変更操作がVNFインスタンス化に関するか否か、新しいVNFインスタンスID及びVNFDバージョン等の情報を有するか否かを含む。
【０１７２】
ステップ26c、OSS/NMはSEMSへVNFインスタンスに対応する管理情報対象インスタンスを更新する請求メッセージを送信し、
前記請求メッセージに含まれたパラメータは、管理情報対象インスタンスDN、VNFインスタンスID等を含む。
【０１７３】
ステップ26d、EMSは前記請求メッセージを受信して、前記請求メッセージに基づきVNFインスタンスに対応する管理情報対象インスタンスを更新し、且つ前記管理情報対象インスタンスと前記VNFインスタンスとのマッピング関係を更新する。
【０１７４】
ステップ26e、OSS/NMSに管理情報対象インスタンス更新の完成の確認メッセージを送信する。
ステップ26f、EMSはVNFインスタンスにおける管理アクセス用のIPアドレスに基づきVNFインスタンスとリンクを確立し、新しいアプリケーション層コンフィグレーション情報をVNFインスタンスに送信する。
【０１７５】
実施例27
OSS/NMSはアプリケーション層コンフィグレーション情報を更新するプロセスをトリガーし、VNFインスタンス変更をトリガーし、本発明の実施例27のコンフィグレーション情報の管理方法の処理プロセスは、図31に示すように、以下のステップを含む。
【０１７６】
ステップ27a、OSS/NMSはEMSへ管理情報対象インスタンスを更新する請求メッセージを送信し、
前記請求メッセージに含まれたパラメータは、管理情報対象インスタンスDN、VNFインスタンスID、VNFインスタンス変更標識及びVNFインスタンス変更操作タイプ等を含む。前記請求メッセージはVNFインスタンスの変更標識によってEMSがVNFMにVNFインスタンス変更請求メッセージを送信することを指示し、VNFインスタンス変更操作タイプパラメータによって変更請求メッセージのタイプを確定する。
【０１７７】
ステップ27b、EMSは前記請求メッセージを受信してVNFMにVNFインスタンス変更請求メッセージを送信し、
具体的には、EMSは管理情報対象インスタンスDNに基づき前記VNFインスタンスに対応するVNFMのIPアドレスをクエリーし、且つVNFMのIPアドレスに基づきVNFMにVNFインスタンス変更請求メッセージを送信し、
前記請求メッセージに含まれたパラメータは、管理情報対象インスタンスDN及びVNFインスタンスIDを含む。
【０１７８】
ステップ27c、VNFMは前記請求メッセージを受信して、VNFインスタンス変更を完成し、EMSへVNFインスタンス変更完成の確認メッセージを送信する。
【０１７９】
ステップ27d、EMSはVNFMの送信したVNFインスタンス変更完成の確認メッセージを受信する。
【０１８０】
ステップ27e、EMSは前記管理情報対象インスタンスを更新して、且つ前記管理情報対象インスタンスとVNFインスタンスとのマッピング関係を更新し、且つOSS/NMSに管理情報対象インスタンス更新の完成の確認メッセージを送信する。
【０１８１】
ステップ27f、EMSはVNFインスタンスにおける管理アクセス用のIPアドレスに基づきVNFインスタンスとリンクを確立し、新しいアプリケーション層コンフィグレーション情報をVNFインスタンスに送信する。
【０１８２】
実施例28
VNFMはVNFアプリケーション層の初期コンフィグレーションプロセスをトリガーし、本発明の実施例28のコンフィグレーション情報の管理方法の詳しい処理プロセスは、図32に示すように、以下のステップを含む。
【０１８３】
ステップ28a、VNFMはEMSへVNFインスタンス化完成の通知又は確認メッセージを送信し、
前記メッセージに含まれたパラメータは、VNFインスタンスID、VNFインスタンスのタイプ及びVNFのIPアドレスを含む。
【０１８４】
ステップ28b、EMSはVNFMの送信したVNFインスタンス化完成の通知又は確認メッセージを受信し、且つ前記メッセージに基づき前記管理情報対象インスタンスを作成して、且つ前記管理情報対象インスタンスと前記VNFインスタンスとのマッピング関係を作成する。
【０１８５】
ステップ28c、EMSはOSS/NMSに管理情報対象インスタンスを作成する通知メッセージを送信する。
【０１８６】
ステップ28d、EMSとVNFインスタンスとはリンクを確立し、EMSは初期アプリケーション層コンフィグレーション情報をVNFインスタンスに送信し、VNFインスタンスはEMSへアプリケーション層コンフィグレーション情報を受信したのを確認することを送信する。
【０１８７】
実施例29
VNFMはアプリケーション層コンフィグレーション情報の更新をトリガーし、本発明の実施例29のコンフィグレーション情報の管理方法の処理プロセスは、図33に示すように、以下のステップを含む。
ステップ29a、VNFMはEMSへVNFインスタンス変更完成の通知又は確認メッセージを送信し、
前記メッセージに含まれたパラメータは、VNFインスタンスID及びVNFインスタンス変更操作タイプを含む。
【０１８８】
ステップ29b、EMSはVNFMの送信したVNFインスタンス変更完成の通知又は確認メッセージを受信して、且つ前記メッセージに基づきVNFインスタンスに対応する管理情報対象インスタンスをクエリーする。
【０１８９】
ステップ29c、EMSは管理情報対象インスタンスを更新する必要があると確定した際に、前記VNFインスタンスに対応する管理情報対象インスタンスを更新して、且つVNFインスタンスと前記管理情報対象インスタンスとのマッピング関係を更新し、
管理情報対象インスタンスを更新する必要があるか否かを確定する要因はVNFインスタンス変更の操作タイプ、変更操作がVNFインスタンス化に関するか否か、新しいVNFインスタンスID及びVNFDバージョン等の情報を有するか否かを含む。
【０１９０】
ステップ29d、EMSはOSS/NMSに管理情報対象インスタンス属性を更新する通知メッセージを送信する。
【０１９１】
ステップ29e、EMSとVNFインスタンスとはリンクを確立し、EMSは更新後のアプリケーション層コンフィグレーション情報をVNFインスタンスに送信し、VNFインスタンスはEMSへアプリケーション層コンフィグレーション情報を受信したのを確認することを送信する。
【０１９２】
本発明上記実施例19〜実施例29において、EMSとVNFとはリンクを確立する過程はEMSにより開始してもよいし、VNFにより開始してもよい。
【０１９３】
上記コンフィグレーション情報の管理方法を実現するために、本発明の実施例はコンフィグレーション情報の管理デバイスを更に提供し、前記コンフィグレーション情報の管理デバイスの組成構造は、図34に示すように、第1受信モジュール11と第1送信モジュール12を備え、
前記第1受信モジュール11は、VNFのライフサイクル操作完成メッセージを受信するように設定され、
前記第1送信モジュール12は、第1受信モジュール11が受信したVNFのライフサイクル操作完成メッセージに基づき、EMSへ前記VNFのライフサイクル操作に対応する管理情報対象インスタンス操作請求メッセージを送信するように設定され、
前記請求メッセージに含まれたパラメータは、VNFインスタンスに対応する管理情報対象インスタンスマークDNを含む。
【０１９４】
更に、前記第1受信モジュールが受信したメッセージは、NFVOの送信したVNFインスタンス化完成の確認メッセージであり、
対応的に、前記第1送信モジュール11はVNFインスタンスに対応する管理情報対象インスタンスを作成する請求メッセージを送信し、
一実施例において、前記第1受信モジュール11が受信したメッセージはEMSの送信したVNFインスタンス化完成の通知メッセージであり、前記通知メッセージに含まれたパラメータは、VNFインスタンスID及びVNFインスタンスのタイプを含み、
対応的に、前記第1送信モジュール12はVNFインスタンスに対応する管理情報対象インスタンスを作成する請求メッセージを送信し、
前記請求メッセージに含まれたパラメータは、管理情報対象インスタンスDN及びVNFインスタンスのIDを含む。
【０１９５】
一実施例において、前記第1受信モジュール11が受信したメッセージはNFVOの送信したVNFインスタンス終了完成の確認メッセージであり、
対応的に、前記第1送信モジュール12はVNFインスタンスに対応する管理情報対象インスタンスを削除する請求メッセージを送信し、
前記請求メッセージに含まれたパラメータはVNFインスタンスに対応する管理情報対象インスタンスDNを含む。
【０１９６】
一実施例において、前記第1受信モジュール11が受信したメッセージはNFVOの送信したVNFインスタンス変更の確認メッセージであり、前記確認メッセージは、VNFインスタンスID、VNFインスタンス変更の操作タイプ、VNFインスタンスのバージョン及びバーチャルネットワーク機能記述子VNFDバージョンであり、
対応的に、前記第1送信モジュール12は管理情報対象インスタンスを更新する必要があると確定した際に、VNFインスタンスに対応する管理情報対象インスタンスを更新する請求メッセージを送信し、
前記請求メッセージに含まれたパラメータは、管理情報対象インスタンスDN及びVNFインスタンスのIDを含む。
【０１９７】
一実施例において、前記第1受信モジュール11が受信したメッセージはEMSの送信したVNFインスタンス変更完成の通知メッセージであり、前記通知メッセージに含まれたパラメータは、VNFインスタンスID及びVNFインスタンス変更操作タイプであり、
対応的に、前記第1送信モジュール12は管理情報対象インスタンスを更新する必要があると確定した際に、VNFインスタンスに対応する管理情報対象インスタンスを更新する請求メッセージを送信し、
前記請求メッセージは、管理情報対象インスタンスDN、VNFインスタンスIDを含む。
【０１９８】
なお、本発明の実施例において、前記コンフィグレーション情報の管理デバイスはOSS又はNMSにより実現されることができる。
【０１９９】
上記コンフィグレーション情報の管理方法を実現するために、本発明の実施例はEMSを更に提供し、前記EMSの組成構造模式図は、図35に示すように、第2受信モジュール21と処理モジュール22を備え、
前記第2受信モジュール21は、VNFのライフサイクル操作完成メッセージ又は管理情報対象インスタンス操作請求メッセージを受信するように設定され、
前記処理モジュール22は、第2受信モジュール21が受信したメッセージに基づき管理信息対象インスタンスを操作して、且つ前記管理情報対象インスタンスと前記VNFインスタンスとのマッピング関係を操作するように設定され、
前記管理情報対象インスタンスとVNFインスタンスとのマッピング関係の属性は、管理情報対象インスタンスDN及びVNFインスタンスIDを含み、前記管理情報対象インスタンスとVNFインスタンスとのマッピング関係の属性は更にVNFインスタンスIPアドレス、VNFインスタンス所属のVNFM  IPアドレス、VNFインスタンスのタイプの中の1つ又は複数を含む。
【０２００】
一実施例において、前記第2受信モジュール21が受信したメッセージはOSS/NMSの送信したVNFインスタンスに対応する管理情報対象インスタンスを作成する請求メッセージであり、前記請求メッセージは、管理情報対象インスタンスDN及びVNFインスタンスIDを含み、
対応的に、前記処理モジュール22の組成構造模式図は、図36に示すように、作成ユニット1を備え、前記管理情報対象インスタンスを作成して、且つ前記管理情報対象インスタンスとVNFインスタンスとのマッピング関係を作成するように設定される。
【０２０１】
一実施例において、前記第2受信モジュール21が受信したメッセージはVNFMの送信したVNFインスタンス化完成の通知又は確認メッセージであり、
対応的に、前記処理モジュール22は更に、送信ユニット2と受信ユニット3を備え、
前記送信ユニット2は、OSS/NMSにVNFインスタンス化完成の通知メッセージを送信し、前記通知メッセージがVNFインスタンスID及びVNFインスタンスのタイプを含むように設定され、
前記受信ユニット3は、OSS/NMSの送信したVNFインスタンスに対応する管理情報対象インスタンスを作成する請求メッセージを受信し、前記請求メッセージに含まれたパラメータは、管理情報対象インスタンスDN及びVNFインスタンスIDを含むように設定され、
前記作成ユニット1は更に、前記請求メッセージに基づき前記管理情報対象インスタンスを作成して、且つ前記管理情報対象インスタンスと前記VNFインスタンスとのマッピング関係を作成するように設定される。
【０２０２】
一実施例において、前記第2受信モジュール21が受信したメッセージはOSS/NMSの送信した管理情報対象インスタンスを作成する請求メッセージであり、前記請求メッセージにVNFインスタンス化トリガーを指示するパラメータを含み、
対応的に、前記送信ユニット2は更に、前記請求メッセージに基づきVNFMにVNFインスタンス化請求メッセージを送信するように設定され、
前記受信ユニット3は更に、VNFMの送信したVNFインスタンス化完成の確認メッセージを受信するように設定され、
前記作成ユニット1は更に、前記管理情報対象インスタンスを作成して、且つ前記管理情報対象インスタンスと前記VNFインスタンスとのマッピング関係を作成するように設定される。
【０２０３】
一実施例において、前記第2受信モジュール21が受信したメッセージは、VNFMの送信したVNFインスタンス化完成の通知又は確認メッセージであり、前記メッセージに含まれたパラメータは、VNFインスタンスID、VNFインスタンスのタイプ及びVNFのIPアドレスを含み、
対応的に、前記作成ユニット1は更に、VNFインスタンスに対応する管理情報対象インスタンスを作成して、且つVNFインスタンスと前記管理情報対象インスタンスとのマッピング関係を作成するように設定され、  前記送信ユニット2は更に、OSS/NMSに管理情報対象インスタンスを作成する通知メッセージを送信するように設定される。
【０２０４】
一実施例において、前記第2受信モジュール21が受信したメッセージは、OSS/NMSの送信したVNFインスタンスに対応する管理情報対象インスタンスを削除する請求メッセージであり、前記請求メッセージはVNFインスタンスに対応する管理情報対象インスタンスDNを含み、
対応的に、前記処理モジュールは削除ユニット5を更に備え、
前記削除ユニット5は、前記VNFインスタンスに対応する管理情報対象インスタンスを削除して、且つ前記管理情報対象インスタンスと前記VNFとのマッピング関係を削除する・BR>謔、に設定される。
一実施例において、前記第2受信モジュール21が受信したメッセージは、VNFMの送信したVNFインスタンス終了の通知又は確認メッセージであり、
対応的に、前記処理モジュールは、VNFインスタンスの管理情報対象インスタンスをクエリーするように設定されるクエリーユニット4を更に備え、
前記削除ユニット5は更に、前記管理情報対象インスタンスを削除して、且つ前記VNFインスタンスと前記管理情報対象インスタンスとのマッピング関係を削除するように設定される。
【０２０５】
一実施例において、前記第2受信モジュール21が受信したメッセージは、OSS/NMSの送信した管理情報対象インスタンスを削除する請求メッセージであり、前記請求メッセージに更にVNFインスタンス終了トリガーを指示するパラメータを含み、
対応的に、前記送信ユニット2は更に、前記請求メッセージに基づきVNFMにVNFインスタンス終了請求メッセージを送信し、前記請求メッセージがVNFインスタンスIDを含むように設定され、
前記受信ユニット3は更に、VNFMの送信したVNFインスタンス終了確認メッセージを受信するように設定され、
前記削除ユニット5は更に、前記VNFインスタンスに対応する管理情報対象インスタンスを削除して、且つ前記VNFインスタンスと前記管理情報対象インスタンスとのマッピング関係を削除するように設定される。
【０２０６】
一実施例において、前記第2受信モジュール21が受信したメッセージは、OSS/NMSの送信したVNFインスタンスに対応する管理情報対象インスタンスを更新する請求メッセージであり、前記請求メッセージに含まれたパラメータは、管理情報対象インスタンスDNを含み、
対応的に、前記処理モジュール22は、前記請求メッセージに基づき管理情報対象インスタンスを更新して、且つ前記管理情報対象インスタンスと前記VNFインスタンスとのマッピング関係を更新するように設定される更新ユニット6を更に備える。
【０２０７】
一実施例において、前記第2受信モジュール21が受信したメッセージは、VNFMの送信したVNFインスタンス変更完成の通知又は確認メッセージであり、
対応的に、前記送信ユニット2は更に、OSS/NMSへVNFインスタンス変更完成の通知メッセージを送信し、前記通知メッセージが、VNFインスタンスのID及びVNFインスタンス変更操作タイプを含むように設定され、
前記受信ユニット3は更に、OSS/NMSの送信したVNFインスタンスに対応する管理情報対象インスタンスを更新する請求メッセージを受信するように設定され、
前記更新ユニット6は更に、前記請求メッセージに基づきVNFインスタンスに対応する管理情報対象インスタンスを更新して、且つ前記管理情報対象インスタンスと前記VNFインスタンスとのマッピング関係を更新するように設定される。
【０２０８】
一実施例において、前記第2受信モジュール21が受信したメッセージは、OSS/NMSの送信した管理情報対象インスタンスを更新する請求メッセージであり、前記請求メッセージにVNFインスタンス変更のトリガー及びVNFインスタンス変更操作タイプを指示するパラメータを含み、
対応的に、前記送信ユニット2は更に、前記請求メッセージに基づきVNFMへVNFインスタンス変更請求メッセージを送信し、前記請求メッセージは、管理情報対象インスタンスDNを含むように設定され、
前記受信ユニット3は更に、VNFMの送信したVNFインスタンス変更完成の確認メッセージを受信するように設定され、
前記更新ユニット6は更に、前記管理情報対象インスタンスを更新して、且つ前記管理情報対象インスタンスとVNFインスタンスとのマッピング関係を更新するように設定される。
【０２０９】
一実施例において、前記第2受信モジュール21が受信したメッセージは、VNFMの送信したVNFインスタンス変更完成の通知又は確認メッセージであり、前記メッセージに含まれたパラメータは、VNFインスタンスID及びVNFインスタンス変更操作タイプを含み、
対応的に、前記クエリーユニット4は更に、VNFインスタンスに対応する管理情報対象インスタンスをクエリーするように設定され、
前記更新ユニット6は更に、管理情報対象インスタンスを更新する必要があると確定した際に、前記VNFインスタンスに対応する管理情報対象インスタンスを更新して、且つVNFインスタンスと前記管理情報対象インスタンスとのマッピング関係を更新するように設定され、
前記送信ユニット2は更に、OSS/NMSに管理情報対象インスタンス属性を更新する通知メッセージを送信するように設定される。
【０２１０】
更に、前記EMSは更に、第3受信モジュール23とクエリーモジュール24を備え、
前記第3受信モジュール23は、OSS/NMSの送信したクエリー請求メッセージを受信するように設定され、
前記クエリー請求メッセージは管理情報対象インスタンスに対応するVNFインスタンスをクエリーするものであり、前記クエリー請求メッセージは管理情報対象インスタンスDNを含み、又は、前記クエリー請求メッセージはVNFインスタンスに対応する管理情報対象インスタンスをクエリーするものであり、前記クエリー請求メッセージはVNFインスタンスIDを含み、
対応的に、前記クエリーモジュール24は、クエリー請求メッセージに基づきクエリーするように設定される。
【０２１１】
本発明の実施例によるコンフィグレーション情報の管理デバイスにおける第1受信モジュール11と第2送信モジュール12はいずれもプロセッサによって実現されることができ、勿論、具体的な論理回路によって実現されてもよく、前記プロセッサはOSS/NMSにおけるプロセッサであり、実際な応用では、プロセッサはCPU、マイクロプロセッサ(MPU)、デジタル信号プロセッサ(DSP)又はフィールドプログラマブルゲートアレイ(FPGA)等である。
【０２１２】
本発明の実施例によるEMSにおける第2受信モジュール21、処理モジュール22、第3受信モジュール23及びクエリーモジュール24はいずれもプロセッサによって実現されることができ、勿論、具体的な論理回路によって実現されてもよく、前記プロセッサはEMSにおけるプロセッサであり、実際の応用では、プロセッサはCPU、MPU、DSP又はFPGA等である。
【０２１３】
本発明の実施例において、ソフトウェア機能モジュールの形式で上記コンフィグレーション情報の管理方法を実現して、且つ独立した製品として販売又は使用する際に、1つのコンピュータの読み取り可能な記憶媒体に記憶されることもできる。このような理解に基づいて、本発明の実施例の技術的解決手段は本質的或いは従来技術に貢献する部分はソフトウェア製品の形式で表現することができ、該コンピュータソフトウェア製品が1つの記憶媒体に記憶され、一台のコンピュータデバイス(パーソナルコンピュータ、サーバー、或いはネットワークデバイス等である)が本発明の各実施例に記載の方法の全部又は一部を実行するための若干の指令を含む。前述の記憶媒体は、Uディスク、モバイルハードディスク、読み出し専用記憶装置(ReadOnlyMemory、ROM)、ディスク或いはCD等の様々なプログラムコードを記憶できる媒体である。このように、本発明の実施例はいずれかの特定のハードウェアとソフトウェアとの組み合わせに制限されない。
【０２１４】
対応的に、本発明の実施例はコンピュータ記憶媒体を更に提供し、該コンピュータ記憶媒体にはコンピュータプログラムが記憶され、該コンピュータプログラムは本発明の実施例の上記コンフィグレーション情報の管理方法を実行することに用いられる。
【０２１５】
以上は、本発明の好ましい実施例だけであり、本発明の保護範囲を制限するためのものではない。
【図１】
0006412599.tif 000002
【図２】
0006412599.tif 000003
【図３】
0006412599.tif 000004
【図４】
0006412599.tif 000005
【図５】
0006412599.tif 000006
【図６】
0006412599.tif 000007
【図７】
0006412599.tif 000008
【図８】
0006412599.tif 000009
【図９】
0006412599.tif 000010
【図１０】
0006412599.tif 000011
【図１１】
0006412599.tif 000012
【図１２】
0006412599.tif 000013
【図１３】
0006412599.tif 000014
【図１４】
0006412599.tif 000015
【図１５】
0006412599.tif 000016
【図１６】
0006412599.tif 000017
【図１７】
0006412599.tif 000018
【図１８】
0006412599.tif 000019
【図１９】
0006412599.tif 000020
【図２０】
0006412599.tif 000021
【図２１】
0006412599.tif 000022
【図２２】
0006412599.tif 000023
【図２３】
0006412599.tif 000024
【図２４】
0006412599.tif 000025
【図２５】
0006412599.tif 000026
【図２６】
0006412599.tif 000027
【図２７】
0006412599.tif 000028
【図２８】
0006412599.tif 000029
【図２９】
0006412599.tif 000030
【図３０】
0006412599.tif 000031
【図３１】
0006412599.tif 000032
【図３２】
0006412599.tif 000033
【図３３】
0006412599.tif 000034
【図３４】
0006412599.tif 000035
【図３５】
0006412599.tif 000036
【図３６】
0006412599.tif 000037